(57)【要約】      （修正有）【課題】ユーザ機器（ＵＥ）および基地局が、ワイヤレスリンクのスループットを改善するために低レイテンシを実現するための方法、および装置を提供する。【解決手段】ＵＥは、周期的および基地局開始型報告に加えて、ＵＥ開始型ＣＳＩ報告を送る。たとえば、ＵＥは、競合ベースのスペクトルを使用して、リクエストツートランスミットを使用して、または、ＣＳＩ差分（すなわち、チャネル状態の変化のインジケータ）を使用して、ＵＥ開始型ＣＳＩ報告を送る。基地局は、コヒーレントまたは非コヒーレントアップリンク送信を使用するＣＳＩおよびスケジューリング要求（ＳＲ）のために各ＵＥにリソースを与えることによって、アップリンク低レイテンシ通信のために異なるＵＥをスケジュールする。ＣＳＩおよびＳＲはまた、アップリンクフィードバックと組み合わせられる。【選択図】図１５
2020010392.tif 000002
【特許請求の範囲】
【請求項１】
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定することと、
前記決定されたＣＳＩをもつ報告をそれの上で送信するためのスケジュールされていないアップリンクチャネルのリソースを識別することと、
前記識別されたリソース上で前記報告を送信することと
を備える、ワイヤレス通信の方法。
【請求項２】
前記スケジュールされていないアップリンクチャネルの前記リソースを識別することが、
アップリンク制御情報（ＵＣＩ）のために予約されたリソースのセットから前記リソースを選択すること
を備える、請求項１に記載の方法。
【請求項３】
ＵＣＩのために予約されたリソースの前記セットを示すシグナリングを受信することをさらに備える、請求項２に記載の方法。
【請求項４】
前記シグナリングがダウンリンク許可を備える、請求項３に記載の方法。
【請求項５】
ＵＣＩのために予約されたリソースの前記セットが、スケジューリング要求（ＳＲ）、ＣＳＩ報告、またはハイブリッド自動再送要求（ＨＡＲＱ）フィードバック、あるいはそれらの任意の組合せのために予約されたリソースを備える、請求項２に記載の方法。
【請求項６】
ＵＣＩのために予約されたリソースの前記セットが、前記第１のＴＴＩ持続時間を有するＴＴＩのリソースブロックのセットを備える、請求項２に記載の方法。
【請求項７】
ＵＣＩのために予約されたリソースの前記セットは、ＵＣＩのために予約されたリソースの前記セットがそれに割り振られるユーザ機器（ＵＥ）の数に少なくとも部分的に基づき、ここにおいて、ＵＥの前記数が、コヒーレントユーザまたは非コヒーレントユーザ、あるいは両方を備える、請求項２に記載の方法。
【請求項８】
前記スケジュールされていないアップリンクチャネルの前記リソースを識別することは、
前記第１のＴＴＩ持続時間を有するＴＴＩがＣＳＩ報告のために利用可能であると決定すること
を備える、請求項１に記載の方法。
【請求項９】
前記報告が、アップリンク基準信号とは異なるサイクリックシフトを用いて送信される、請求項１に記載の方法。
【請求項１０】
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）をもつ報告を送信することと、
前記通信リンクについてのチャネル状態の変化を決定することと、
前記ＣＳＩと前記チャネル状態の前記変化との間の差を示すシグナリングを送信することと
を備える、ワイヤレス通信の方法。
【請求項１１】
前記ＣＳＩをもつ前記報告、または前記ＣＳＩと前記チャネル状態の前記変化との間の前記差を示す前記シグナリングが、アップリンク制御情報（ＵＣＩ）のために予約されたリソースのセットから選択されたリソース上で送信される、請求項１０に記載の方法。
【請求項１２】
ＵＣＩのために予約されたリソースの前記セットが、スケジューリング要求（ＳＲ）、ＣＳＩ報告、ハイブリッド自動再送要求（ＨＡＲＱ）フィードバック、またはそれらの任意の組合せのために予約されたリソースを備える、請求項１１に記載の方法。
【請求項１３】
ＵＣＩのために予約されたリソースの前記セットは、ＵＣＩのために予約されたリソースの前記セットがそれに割り振られるユーザ機器（ＵＥ）の数に少なくとも部分的に基づいて予約され、ここにおいて、ＵＥの前記数が、コヒーレントユーザまたは非コヒーレントユーザ、あるいは両方を備える、請求項１１に記載の方法。
【請求項１４】
前記ＣＳＩをもつ前記報告、または前記ＣＳＩと前記チャネル状態の前記変化との間の前記差を示す前記シグナリングをそれの上で送るためのリソースについての許可をダウンリンクデータチャネル中で受信すること
をさらに備える、請求項１０に記載の方法。
【請求項１５】
前記ＣＳＩをもつ前記報告、または前記ＣＳＩと前記チャネル状態の前記変化との間の前記差を示す前記シグナリングが、アップリンク基準信号とは異なるサイクリックシフトを用いて送信される、請求項１０に記載の方法。
【請求項１６】
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定するための手段と、
前記決定されたＣＳＩをもつ報告をそれの上で送信するためのスケジュールされていないアップリンクチャネルのリソースを識別するための手段と、
前記識別されたリソース上で前記報告を送信するための手段と
を備える、ワイヤレス通信のための装置。
【請求項１７】
アップリンク制御情報（ＵＣＩ）のために予約されたリソースのセットから前記リソースを選択するための手段
をさらに備える、請求項１６に記載の装置。
【請求項１８】
ＵＣＩのために予約されたリソースの前記セットを示すシグナリングを受信するための手段
をさらに備える、請求項１７に記載の装置。
【請求項１９】
前記シグナリングがダウンリンク許可を備える、請求項１８に記載の装置。
【請求項２０】
ＵＣＩのために予約されたリソースの前記セットが、ＳＲ、ＣＳＩ報告、またはハイブリッド自動再送要求（ＨＡＲＱ）フィードバック、あるいはそれらの任意の組合せのために予約されたリソースを備える、請求項１７に記載の装置。
【請求項２１】
ＵＣＩのために予約されたリソースの前記セットが、前記第１のＴＴＩ持続時間を有するＴＴＩのリソースブロックのセットを備える、請求項１７に記載の装置。
【請求項２２】
ＵＣＩのために予約されたリソースの前記セットは、ＵＣＩのために予約されたリソースの前記セットがそれに割り振られるユーザ機器（ＵＥ）の数に少なくとも部分的に基づき、ここにおいて、ＵＥの前記数が、コヒーレントユーザまたは非コヒーレントユーザ、あるいは両方を備える、請求項１７に記載の装置。
【請求項２３】
前記第１のＴＴＩ持続時間を有するＴＴＩがＣＳＩ報告のために利用可能であると決定するための手段
をさらに備える、請求項１６に記載の装置。
【請求項２４】
アップリンク基準信号とは異なるサイクリックシフトを用いて前記報告を送信するための手段
をさらに備える、請求項１６に記載の装置。
【請求項２５】
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）をもつ報告を送信するための手段と、
前記通信リンクについてのチャネル状態の変化を決定するための手段と、
前記ＣＳＩと前記チャネル状態の前記変化との間の差を示すシグナリングを送信するための手段と
を備える、ワイヤレス通信のための装置。
【請求項２６】
前記ＣＳＩをもつ前記報告、または報告されたＣＳＩと前記チャネル状態の前記変化との間の前記差を示す前記シグナリングが、アップリンク制御情報（ＵＣＩ）のために予約されたリソースのセットから選択されたリソース上で送信される、請求項２５に記載の装置。
【請求項２７】
ＵＣＩのために予約されたリソースの前記セットが、スケジューリング要求（ＳＲ）、ＣＳＩ報告、ハイブリッド自動再送要求（ＨＡＲＱ）フィードバック、またはそれらの任意の組合せのために予約されたリソースを備える、請求項２６に記載の装置。
【請求項２８】
ＵＣＩのために予約されたリソースの前記セットは、ＵＣＩのために予約されたリソースの前記セットがそれに割り振られるユーザ機器（ＵＥ）の数に少なくとも部分的に基づいて予約され、ここにおいて、ＵＥの前記数が、コヒーレントユーザまたは非コヒーレントユーザ、あるいは両方を備える、請求項２６に記載の装置。
【請求項２９】
前記ＣＳＩをもつ前記報告、または前記ＣＳＩと前記チャネル状態の前記変化との間の前記差を示す前記シグナリングをそれの上で送るためのリソースについての許可をダウンリンクデータチャネル中で受信するための手段
をさらに備える、請求項２５に記載の装置。
【請求項３０】
前記ＣＳＩをもつ前記報告、または前記ＣＳＩと前記チャネル状態の前記変化との間の前記差を示す前記シグナリングが、アップリンク基準信号とは異なるサイクリックシフトを用いて送信される、請求項２５に記載の装置。
【発明の詳細な説明】
【技術分野】
【０００１】
相互参照
[0001]本特許出願は、各々が本出願の譲受人に譲渡される、２０１５年７月９日に出願された「Low Latency Physical Uplink Control Channel with Scheduling Request and Channel State Information」と題する米国仮特許出願第６２／１９０，５０６号、および２０１６年５月３１日に出願された、「Low Latency Physical Uplink Control Channel with Scheduling Request and Channel State Information」と題する米国特許出願第１５／１６９，４２０号の優先権を主張する。
【０００２】
[0002]以下は、一般にワイヤレス通信に関し、より詳細には、スケジューリング要求（ＳＲ：scheduling request）とチャネル状態情報（ＣＳＩ：channel state information）とを用いた低レイテンシ（low latency）物理アップリンク制御チャネル（ＰＵＣＣＨ：physical uplink control channel）に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。例示的な電気通信規格はロングタームエボリューション（ＬＴＥ（登録商標））である。ＬＴＥは、スペクトル効率を改善し、コストを低下させ、サービスを改善し、新しいスペクトルを利用し、他のオープン規格とより良く一体化するように設計される。ＬＴＥは、ダウンリンク（ＤＬ）上でＯＦＤＭＡを使用し、アップリンク（ＵＬ）上でシングルキャリア周波数分割多元接続（ＳＣ−ＦＤＭＡ）を使用し、多入力多出力（ＭＩＭＯ）アンテナ技術を使用し得る。（ＬＴＥシステムを含む）ワイヤレス多元接続通信システムは、場合によってはユーザ機器（ＵＥ）として知られていることがある、複数の通信デバイスのための通信を各々がサポートする、いくつかの基地局を含み得る。
【０００５】
[0005]いくつかの場合には、基地局が、チャネル状態を評価するのを助けるために基準信号をＵＥに送信し得る。ＵＥは、次いで、周期的にまたは基地局によって開始されたとき、チャネル状態情報（ＣＳＩ）報告を基地局に送り得る。周期的および基地局開始型（base station-initiated）ＣＳＩ報告は、現在のチャネル状態を決定するのに十分であり得る。しかしながら、システムが低レイテンシ通信をサポートする場合、周期的および基地局開始型報告は不十分であり得る。これは、ドロップされたパケットと遅延された通信とを生じ得る。
【発明の概要】
【０００６】
[0006]ユーザ機器（ＵＥ）と基地局との間の効率的な低レイテンシ通信を可能にするために、ＵＥは、ＵＥ開始型（UE-initiated）チャネル状態情報（ＣＳＩ）報告を送り得、これは、周期的および基地局トリガ型（base station-triggered）報告に加えて行われ得る。たとえば、ＵＥは、競合ベースのスペクトルを使用して、リクエストツートランスミット（request-to-transmit）を使用して、ＣＳＩ差分（differential）（すなわち、チャネル状態の変化のインジケータ）を使用してなど、ＵＥ開始型ＣＳＩ報告を送り得る。いくつかの場合には、基地局は、コヒーレントまたは非コヒーレントアップリンク送信を使用するＣＳＩおよびスケジューリング要求（ＳＲ）のために各ＵＥにリソースを与えることによって、アップリンク低レイテンシ通信のために異なるＵＥをスケジュールし得る。ＣＳＩおよびＳＲは、たとえば、ハイブリッド自動再送要求（ＨＡＲＱ）フィードバックを含む、アップリンクフィードバックと組み合わせられ得る。ＵＥ開始型ＣＳＩ報告のためのアップリンクリソースは、異なる時間リソース、サブキャリア、または所定のシーケンスの異なるサイクリックシフトを含み得、およびそれらから選択され得る。
【０００７】
[0007]ワイヤレス通信の方法が説明される。本方法は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定することを含み得る。本方法はまた、決定されたＣＳＩをもつ報告をそれの上で送信するためのスケジュールされていないアップリンクチャネルのリソースを識別することと、識別されたリソース上で報告を送信することとを含み得る。
【０００８】
[0008]ワイヤレス通信のための装置が説明される。本装置は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定するための手段を含み得る。本装置はまた、決定されたＣＳＩをもつ報告をそれの上で送信するためのスケジュールされていないアップリンクチャネルのリソースを識別するための手段と、識別されたリソース上で報告を送信するための手段とを含み得る。
【０００９】
[0009]ワイヤレス通信のためのさらなる装置が説明される。本装置は、プロセッサと、プロセッサと電子通信しているメモリと、メモリに記憶された命令とを含み得る。命令は、プロセッサによって実行されたとき、装置に、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定することと、決定されたＣＳＩをもつ報告をそれの上で送信するためのスケジュールされていないアップリンクチャネルのリソースを識別することと、識別されたリソース上で報告を送信することとを行わせるように動作可能であり得る。
【００１０】
[0010]ワイヤレス通信のためのコードを記憶する非一時的コンピュータ可読媒体が説明される。コードは、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定することと、決定されたＣＳＩをもつ報告をそれの上で送信するためのスケジュールされていないアップリンクチャネルのリソースを識別することと、識別されたリソース上で報告を送信することとを行うために実行可能な命令を含み得る。
【００１１】
[0011]上記で説明された方法、装置、または非一時的コンピュータ可読媒体のいくつかの例は、アップリンク制御情報（ＵＣＩ：uplink control information）のために予約されたリソースのセットからリソースを選択するための特徴、ステップ、手段、または命令を含み得る。いくつかの例は、ＵＣＩのために予約されたリソースのセットを示すシグナリングを受信することを含み得る。いくつかの例では、シグナリングは、ダウンリンク許可であるかまたはそれを含む。
【００１２】
[0012]上記で説明された方法、装置、または非一時的コンピュータ可読媒体のいくつかの例では、ＵＣＩのために予約されたリソースのセットは、スケジューリング要求（ＳＲ）、ＣＳＩ報告、またはハイブリッド自動再送要求（ＨＡＲＱ）フィードバック、あるいはそれらの任意の組合せのために予約されたリソースを含む。いくつかの例では、ＵＣＩのために予約されたリソースのセットは、第１のＴＴＩ持続時間を有するＴＴＩのリソースブロックのセットであるか、またはそれを含む。追加または代替として、ＵＣＩのために予約されたリソースのセットは、ＵＣＩのために予約されたリソースのセットがそれに割り振られるユーザ機器（ＵＥ）の数に少なくとも部分的に基づき得、ＵＥの数は、コヒーレントユーザまたは非コヒーレントユーザ、あるいは両方を含み得る。
【００１３】
[0013]上記で説明された方法、装置、または非一時的コンピュータ可読媒体のいくつかの例は、第１のＴＴＩ持続時間を有するＴＴＩがＣＳＩ報告のために利用可能であると決定するための特徴、ステップ、手段、または命令を含み得る。いくつかの例では、報告は、アップリンク基準信号とは異なるサイクリックシフトを用いて送信される。
【００１４】
[0014]ワイヤレス通信の別の方法が説明される。本方法は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定することを含み得る。本方法はまた、決定されたＣＳＩをもつ報告をそれの上で送るためのリソースについての要求を送信することと、要求に応答して、報告のためのアップリンクリソースについての許可を受信することと、アップリンクリソースを使用して報告を送信することとを含み得る。
【００１５】
[0015]ワイヤレス通信のための別の装置が説明される。本装置は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定するための手段を含み得る。本装置はまた、決定されたＣＳＩをもつ報告をそれの上で送るためのリソースについての要求を送信するための手段と、要求に応答して、報告のためのアップリンクリソースについての許可を受信するための手段と、アップリンクリソースを使用して報告を送信するための手段とを含み得る。
【００１６】
[0016]ワイヤレス通信のためのさらなる装置が説明される。本装置は、プロセッサと、プロセッサと電子通信しているメモリと、メモリに記憶された命令とを含み得る。命令は、プロセッサによって実行されたとき、装置に、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定することと、決定されたＣＳＩをもつ報告をそれの上で送るためのリソースについての要求を送信することと、要求に応答して、報告のためのアップリンクリソースについての許可を受信することと、アップリンクリソースを使用して報告を送信することとを行わせるように動作可能であり得る。
【００１７】
[0017]ワイヤレス通信のためのコードを記憶する別の非一時的コンピュータ可読媒体が説明される。コードは、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定することと、決定されたＣＳＩをもつ報告をそれの上で送るためのリソースについての要求を送信することと、要求に応答して、報告のためのアップリンクリソースについての許可を受信することと、アップリンクリソースを使用して報告を送信することとを行うために実行可能な命令を含み得る。
【００１８】
[0018]ワイヤレス通信の別の方法が説明される。本方法は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩをもつ報告を送信することを含み得る。本方法はまた、通信リンクについてのチャネル状態の変化を決定することと、報告されたＣＳＩとチャネル状態の変化との間の差を示すシグナリングを送信することとを含み得る。
【００１９】
[0019]ワイヤレス通信のためのさらなる装置が説明される。本装置は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩをもつ報告を送信するための手段を含み得る。本装置はまた、通信リンクについてのチャネル状態の変化を決定するための手段と、報告されたＣＳＩとチャネル状態の変化との間の差を示すシグナリングを送信するための手段とを含み得る。
【００２０】
[0020]ワイヤレス通信のためのさらなる装置が説明される。本装置は、プロセッサと、プロセッサと電子通信しているメモリと、メモリに記憶された命令とを含み得る。命令は、プロセッサによって実行されたとき、装置に、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩをもつ報告を送信することと、通信リンクについてのチャネル状態の変化を決定することと、報告されたＣＳＩとチャネル状態の変化との間の差を示すシグナリングを送信することとを行わせるように動作可能であり得る。
【００２１】
[0021]ワイヤレス通信のためのコードを記憶する別の非一時的コンピュータ可読媒体が説明される。コードは、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩをもつ報告を送信することと、通信リンクについてのチャネル状態の変化を決定することと、報告されたＣＳＩとチャネル状態の変化との間の差を示すシグナリングを送信することとを行うために実行可能な命令を含み得る。
【００２２】
[0022]上記で説明された方法、装置、または非一時的コンピュータ可読媒体のいくつかの例では、ＣＳＩをもつ報告、またはＣＳＩとチャネル状態の変化との間の差を示すシグナリングは、アップリンク制御情報（ＵＣＩ）のために予約されたリソースのセットから選択されたリソース上で送信される。いくつかの例では、ＵＣＩのために予約されたリソースのセットは、スケジューリング要求（ＳＲ）、ＣＳＩ報告、ハイブリッド自動再送要求（ＨＡＲＱ）フィードバック、またはそれらの任意の組合せのために予約されたリソースを含む。追加または代替として、ＵＣＩのために予約されたリソースのセットは、ＵＣＩのために予約されたリソースのセットがそれに割り振られるユーザ機器（ＵＥ）の数に少なくとも部分的に基づいて予約され得、ＵＥの数は、コヒーレントユーザまたは非コヒーレントユーザ、あるいは両方を備える。
【００２３】
[0023]上記で説明された方法、装置、または非一時的コンピュータ可読媒体のいくつかの例は、ＣＳＩをもつ報告、またはＣＳＩとチャネル状態の変化との間の差を示すシグナリングをそれの上で送るためのリソースについての許可をダウンリンクデータチャネル中で受信するための特徴、ステップ、手段、または命令を含み得る。いくつかの例では、ＣＳＩをもつ報告、またはＣＳＩとチャネル状態の変化との間の差を示すシグナリングは、アップリンク基準信号とは異なるサイクリックシフトを用いて送信される。
【００２４】
[0024]ワイヤレス通信の方法が説明される。本方法は、ＵＣＩのために予約されたリソースのセットを決定することを含み得る。本方法はまた、予約されたリソースのセットのうちのリソース上でＵＥから、ＣＳＩをもつ報告、ＣＳＩ報告をそれの上で送るためのリソースについての要求、またはＣＳＩの変化を示すシグナリングのうちの少なくとも１つを受信することを含み得、通信は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する。
【００２５】
[0025]ワイヤレス通信のための装置が説明される。本装置は、ＵＣＩのために予約されたリソースのセットを決定するための手段を含み得る。本装置はまた、予約されたリソースのセットのうちのリソース上でＵＥからＣＳＩをもつ報告、ＣＳＩ報告をそれの上で送るためのリソースについての要求、またはＣＳＩの変化を示すシグナリングのうちの少なくとも１つを受信するための手段を含み得、通信は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する。
【００２６】
[0026]ワイヤレス通信のためのさらなる装置が説明される。本装置は、プロセッサと、プロセッサと電子通信しているメモリと、メモリに記憶された命令とを含み得、命令は、プロセッサによって実行されたとき、装置に、ＵＣＩのために予約されたリソースのセットを決定することと、予約されたリソースのセットのうちのリソース上でＵＥから、ＣＳＩをもつ報告、ＣＳＩ報告をそれの上で送るためのリソースについての要求、またはＣＳＩの変化を示すシグナリングのうちの少なくとも１つを受信することとを行わせるように動作可能であり、通信は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する。
【００２７】
[0027]ワイヤレス通信のためのコードを記憶する非一時的コンピュータ可読媒体が説明される。コードは、ＵＣＩのために予約されたリソースのセットを決定することと、予約されたリソースのセットのうちのリソース上でＵＥから、ＣＳＩをもつ報告、ＣＳＩ報告をそれの上で送るためのリソースについての要求、またはＣＳＩの変化を示すシグナリングのうちの少なくとも１つを受信することとを行わせるために実行可能な命令を含み得、通信は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する。
【００２８】
[0028]本開示の態様が、以下の図を参照しながら説明される。
【図面の簡単な説明】
【００２９】
【図１】[0029]本開示の様々な態様による、スケジューリング要求（ＳＲ）とチャネル状態情報（ＣＳＩ）とを用いた低レイテンシ物理アップリンク制御チャネル（ＰＵＣＣＨ）をサポートするワイヤレス通信システムの一例を示す図。
【図２】[0030]本開示の様々な態様による、ＳＲとＣＳＩとを用いた低レイテンシＰＵＣＣＨをサポートするワイヤレス通信システムの一例を示す図。
【図３Ａ】[0031]本開示の様々な態様による、ＳＲとＣＳＩとを用いた低レイテンシＰＵＣＣＨをサポートするシステム内でのコヒーレントＳＲ／ＣＳＩスケジューリングの例を示す図。
【図３Ｂ】本開示の様々な態様による、ＳＲとＣＳＩとを用いた低レイテンシＰＵＣＣＨをサポートするシステム内での非コヒーレントＳＲ／ＣＳＩスケジューリングの例を示す図。
【図４】[0032]本開示の様々な態様による、ＳＲとＣＳＩとを用いた低レイテンシＰＵＣＣＨをサポートするシステム内での通信を示すプロセスフロー図。
【図５】本開示の様々な態様による、ＳＲとＣＳＩとを用いた低レイテンシＰＵＣＣＨをサポートするシステム内での通信を示すプロセスフロー図。
【図６】本開示の様々な態様による、ＳＲとＣＳＩとを用いた低レイテンシＰＵＣＣＨをサポートするシステム内での通信を示すプロセスフロー図。
【図７】[0033]本開示の様々な態様による、ＳＲとＣＳＩとを用いた低レイテンシＰＵＣＣＨをサポートするワイヤレスデバイスのブロック図。
【図８】本開示の様々な態様による、ＳＲとＣＳＩとを用いた低レイテンシＰＵＣＣＨをサポートするワイヤレスデバイスのブロック図。
【図９】本開示の様々な態様による、ＳＲとＣＳＩとを用いた低レイテンシＰＵＣＣＨをサポートするワイヤレスデバイスのブロック図。
【図１０】[0034]本開示の様々な態様による、ＳＲとＣＳＩとを用いた低レイテンシＰＵＣＣＨをサポートする、ユーザ機器（ＵＥ）を含むシステムのブロック図。
【図１１】[0035]本開示の様々な態様による、ＳＲとＣＳＩとを用いた低レイテンシＰＵＣＣＨをサポートするワイヤレスデバイスのブロック図。
【図１２】本開示の様々な態様による、ＳＲとＣＳＩとを用いた低レイテンシＰＵＣＣＨをサポートするワイヤレスデバイスのブロック図。
【図１３】本開示の様々な態様による、ＳＲとＣＳＩとを用いた低レイテンシＰＵＣＣＨをサポートするワイヤレスデバイスのブロック図。
【図１４】[0036]本開示の様々な態様による、ＳＲとＣＳＩとを用いた低レイテンシＰＵＣＣＨをサポートする、基地局を含むシステムのブロック図。
【図１５】[0037]本開示の様々な態様による、ＳＲとＣＳＩとを用いた低レイテンシＰＵＣＣＨのための方法を示す図。
【図１６】本開示の様々な態様による、ＳＲとＣＳＩとを用いた低レイテンシＰＵＣＣＨのための方法を示す図。
【図１７】本開示の様々な態様による、ＳＲとＣＳＩとを用いた低レイテンシＰＵＣＣＨのための方法を示す図。
【図１８】本開示の様々な態様による、ＳＲとＣＳＩとを用いた低レイテンシＰＵＣＣＨのための方法を示す図。
【図１９】本開示の様々な態様による、ＳＲとＣＳＩとを用いた低レイテンシＰＵＣＣＨのための方法を示す図。
【図２０】本開示の様々な態様による、ＳＲとＣＳＩとを用いた低レイテンシＰＵＣＣＨのための方法を示す図。
【発明を実施するための形態】
【００３０】
[0038]ワイヤレスシステムは、ユーザ機器（ＵＥ）と基地局との間のアップリンク送信とダウンリンク送信の両方をサポートし得る。いくつかの場合には、アップリンク送信とダウンリンク送信の両方が、低レイテンシ動作（たとえば、スケジューリングのための基本時間単位が１ｍｓ未満である動作）に基づき得る。効率的な低レイテンシ通信を可能にするために、基地局へのチャネル状態情報（ＣＳＩ）報告のためのタイミングは、ＵＥによって開始され得る。
【００３１】
[0039]ＣＳＩは、基地局によって送信された基準信号に基づいて、ＵＥによって決定され得る。ＵＥ開始型ＣＳＩ報告に加えて、ＣＳＩ報告が、周期的にスケジュールされるか、または基地局によって開始され得る。レイテンシトレラントトラフィックは、周期的または基地局開始型報告を使用して効果的に通信または監視され得る。低レイテンシ動作の場合、送信が現在のＣＳＩに基づくことを保証するために、ＵＥ開始型ＣＳＩ報告が使用され得る。ＵＥ開始型ＣＳＩ報告は、いくつかの方法で送られ得る。たとえば、ＵＥは競合ベースのアップリンクリソースを使用してＣＳＩ報告を送信し得、または、それはＣＳＩリクエストツートランスミット（たとえば、１ビットインジケータ）を送り得、または、それは（同じく１ビットインジケータであり得る）差分ＣＳＩを送信し得る。ＵＥはまた、スケジューリング要求（ＳＲ）メッセージと、ダウンリンク送信についてのフィードバック（たとえば、肯定応答（ＡＣＫ）または否定応答（ＮＡＣＫ））とを含むアップリンク制御情報を送信し得る。いくつかの場合には、ＵＥ開始型ＣＳＩ報告は、ＳＲ送信と組み合わせられ得る。
【００３２】
[0040]いくつかの例では、２シンボル低レイテンシ送信時間間隔（ＴＴＩ：transmission time interval）構造が使用され得、低レイテンシユーザは、ＳＲ／ＣＳＩリソースプールに割り当てられ得る。コヒーレント送信または非コヒーレント送信が使用され得る。（コヒーレント送信のための）パイロット信号、フィードバックおよびＳＲ／ＣＳＩ要求は、所定のアップリンクシーケンスの別個のサイクリックシフトを使用して送られ得る。
【００３３】
[0041]いくつかのユーザは、より長いＴＴＩを使用して、システムにアクセスし、または初期アップリンクメッセージを送信し得、すなわち、いくつかのユーザは、低レイテンシ動作に関連しない初期アップリンク送信を送る。したがって、ユーザは、低レイテンシアップリンクリソースを取得するために、物理ランダムアクセスチャネル（ＰＲＡＣＨ：physical random access channel）を使用し得る。ＰＲＡＣＨシグネチャは、低レイテンシＳＲ／ＣＳＩ要求にマッピングされ得るシグネチャのセットに限定され得る。基地局は、様々な方法で低レイテンシアップリンクリソースを取得するためにＰＲＡＣＨを扱い得る。たとえば、基地局は、ＰＲＡＣＨ応答を通して、ＳＲ／ＣＳＩ要求のためのワンタイムアクセスを許可し得る。または、基地局は、追加のＰＵＣＣＨリソースを確保し得る。いくつかの場合には、基地局は、別の既存のユーザに以前に割り当てられたリソースをユーザに再割り当てする。したがって、基地局が、ＰＲＡＣＨ構成を通して、既存のユーザにリソースの損失を示し、新しいユーザにリソースを伝達することが可能である。
【００３４】
[0042]上記で紹介された本開示の態様が、ワイヤレス通信システムのコンテキストにおいて以下でさらに説明される。次いで、特定の例がコヒーレントおよび非コヒーレントＳＲ／ＣＳＩ報告について説明され、ＵＥ開始型ＣＳＩ報告のための代替形態が説明される。本開示のこれらおよび他の態様がさらに、スケジューリング要求（ＳＲ）とチャネル状態情報（ＣＳＩ）とを用いた低レイテンシ物理アップリンク制御チャネル（ＰＵＣＣＨ）に関係する装置図、システム図、およびフローチャートによって示され、それらを参照しながら説明される。
【００３５】
[0043]図１は、本開示の様々な態様による、ワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。ワイヤレス通信は、ＵＥ１１５と基地局１０５との間の低レイテンシ通信をサポートし得る。これは、ＵＥ開始型ＣＳＩ報告を含み得る。
【００３６】
[0044]基地局１０５は、１つまたは複数の基地局アンテナを介して、ＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定式または移動可能であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５は、セルラーフォン、ワイヤレスモデム、ハンドヘルドデバイス、パーソナルコンピュータ、タブレット、パーソナル電子デバイス、マシンタイプ通信（ＭＴＣ）デバイスなどでもあり得る。
【００３７】
[0045]基地局１０５は、コアネットワーク１３０および互いと通信し得る。たとえば、基地局１０５は、バックホールリンク１３２（たとえば、Ｓ１など）を通して、コアネットワーク１３０とインターフェースし得る。基地局１０５は、直接または間接的に（たとえば、コアネットワーク１３０を通して）のいずれかでバックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。本明細書で説明されるように、基地局１０５は、アップリンク制御情報のために指定または予約されたリソース上でＵＥ１１５からＣＳＩ報告を受信し得る。
【００３８】
[0046]フレーム構造は、物理リソースを編成するために使用され得る。フレームは、１０ｍｓ間隔であり得、それは、１０個の等しいサイズのサブフレームにさらに分割され得る。各サブフレームは、２つの連続するタイムスロットを含み得る。各スロットは、６つまたは７つの直交周波数分割多元接続（ＯＦＤＭＡ）シンボル期間を含み得る。いくつかの場合には、サブフレームは、送信時間間隔（ＴＴＩ）として知られる、スケジューリングの基本単位であり得る。低レイテンシ動作の場合など、他の場合には、シンボル期間、シンボル期間のペア、またはスロットなど、異なるＴＴＩが使用され得る。したがって、低レイテンシ動作のためのＴＴＩは、他のＬＴＥ送信構造およびタイミング（たとえば、サブフレーム）に適合する、ヌメロロジーを有し得る。システム１００は、異なる持続時間にわたるＴＴＩ（たとえば、サブフレームの持続時間を有するＴＴＩ、およびシンボル期間またはスロットの持続時間を有するＴＴＩ）を使用する通信を同時にサポートし得る。
【００３９】
[0047]いくつかの場合には、ワイヤレス通信システム１００は、１つまたは複数の拡張コンポーネントキャリア（ｅＣＣ）を利用し得る。拡張コンポーネントキャリア（ｅＣＣ）は、フレキシブル帯域幅、異なるＴＴＩ、および変更された制御チャネル構成を含む、１つまたは複数の特徴によって特徴づけられ得る。いくつかの場合には、ｅＣＣは、（たとえば、複数のサービングセルが準最適なバックホールリンクを有するとき）デュアル接続性構成またはキャリアアグリゲーション（ＣＡ）構成に関連し得る。ｅＣＣはまた、（たとえば、２つ以上の事業者が、スペクトルを使用することを認可された場合）共有スペクトルまたは無認可スペクトルにおいて使用するために構成され得る。フレキシブル帯域幅によって特徴づけられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。
【００４０】
[0048]リソース要素は、１つのシンボル期間と１つのサブキャリア（１５ｋＨｚ周波数範囲）とからなる。リソースブロックは、周波数領域中に１２個の連続するサブキャリアを含んでおり、各ＯＦＤＭシンボル中のノーマルサイクリックプレフィックスについて、時間領域（１つのスロット）中に７つの連続するＯＦＤＭシンボルを含んでおり、すなわち８４個のリソース要素を含んでいることがある。いくつかのリソース要素は、ダウンリンク（ＤＬ）基準信号（ＤＬ−ＲＳ）を含み得る。ＤＬ−ＲＳは、セル固有基準信号（ＣＲＳ）と、復調基準信号（ＤＭＲＳ）と呼ばれることもあるＵＥ固有ＲＳ（ＵＥ−ＲＳ）とを含み得る。ＵＥ−ＲＳは、物理ダウンリンク共有チャネル（ＰＤＳＣＨ）に関連するリソースブロック上で送信され得る。基準信号は、以下で説明されるように採用され得る。各リソース要素によって搬送されるビット数は、変調方式（各シンボル期間中に選択され得るシンボルの構成）に依存し得る。したがって、ＵＥが受信するリソースブロックが多いほど、また変調方式が高いほど、データレートは高くなり得る。
【００４１】
[0049]ＰＵＣＣＨは、アップリンク（ＵＬ）肯定応答（ＡＣＫ）、スケジューリング要求（ＳＲ）およびチャネル品質インジケータ（ＣＱＩ：channel quality indicator）および他のＵＬ制御情報のために使用され得る。ＰＵＣＣＨは、コードと２つの連続するリソースブロックとによって定義される制御チャネルにマッピングされ得る。ＵＬ制御シグナリングは、セルのためのタイミング同期の存在に依存し得る。ＳＲおよびＣＳＩ報告のためのＰＵＣＣＨリソースは、ＲＲＣシグナリングを通して割り当てられ（および取り消され）得る。場合によっては、ＳＲのためのリソースは、ＲＡＣＨプロシージャを通して同期を獲得した後に割り当てられ得る。他の場合には、ＳＲはＲＡＣＨを通してＵＥ１１５に割り当てられないことがある（すなわち、同期ＵＥは専用ＳＲチャネルを有することも有しないこともある）。ＳＲおよびＣＳＩのためのＰＵＣＣＨリソースは、ＵＥがもはや同期されないときに失われ得る。いくつかの場合には、ＣＳＩは、周期的であるか、または基地局１０５によってトリガされ得る。低レイテンシ動作の場合など、他の場合には、ＣＱＩは、ＵＥ１１５によって開始され得る。
【００４２】
[0050]基地局１０５は、ＵＥ１１５のチャネル推定およびコヒーレント復調を助けるために、ＣＲＳなどの周期パイロットシンボルを挿入し得る。ＣＲＳは、５０４個の異なるセル識別情報のうちの１つを含み得る。それらは、それらを雑音および干渉に対して耐性があるようにするために、４位相シフトキーイング（ＱＰＳＫ：quadrature phase shift keying）とブーストされた（たとえば、周囲のデータ要素よりも高い６ｄＢにおいて送信された）電力とを使用して変調され得る。ＣＲＳは、受信ＵＥ１１５のアンテナポートまたはレイヤの数（最高４つ）に基づいて各リソースブロック中の４〜１６個のリソース要素中に埋め込まれ得る。基地局１０５の地理的カバレージエリア１１０中のすべてのＵＥ１１５によって利用され得るＣＲＳに加えて、ＤＭＲＳは、特定のＵＥ１１５を対象とし得、それらのＵＥ１１５に割り当てられたリソースブロック上で送信され得る。ＤＭＲＳは、それらが送信される各リソースブロック中の６つのリソース要素上に信号を含み得る。異なるアンテナポートのためのＤＭＲＳは、それぞれ、同じ６つのリソース要素を利用し得、（たとえば、異なるリソース要素中で１または−１の異なる組合せで各信号をマスキングする）異なる直交カバーコードを使用して区別され得る。いくつかの場合には、ＤＭＲＳの２つのセットは、隣接するリソース要素中で送信され得る。いくつかの場合には、チャネル状態情報基準信号（ＣＳＩ−ＲＳ）として知られる追加の基準信号が、ＣＳＩを生成するのを助けるために含まれ得る。ＵＬ上で、ＵＥ１１５は、それぞれ、リンク適応および復調のための周期的サウンディング基準信号（ＳＲＳ）とＵＬ  ＤＭＲＳの組合せを送信し得る。
【００４３】
[0051]基地局１０５は、チャネルを効率的に構成およびスケジュールするためにＵＥ１１５からＣＳＩを収集し得る。この情報は、チャネル状態報告の形態でＵＥ１１５から送られ得る。チャネル状態報告は、（たとえば、ＵＥ１１５のアンテナポートに基づいて）ＤＬ送信のために使用されるべきレイヤの数を要求するランクインジケータ（ＲＩ：rank indicator）と、（レイヤの数に基づいて）どのプリコーダ行列が使用されるべきであるかについての選好を示すプリコーディング行列インジケータ（ＰＭＩ：precoding matrix indicator）と、使用され得る最高の変調およびコーディング方式（ＭＣＳ）を表すＣＱＩとを含んでいることがある。ＣＱＩは、ＣＲＳまたはＣＳＩ−ＲＳなどの所定のパイロットシンボルを受信した後にＵＥ１１５によって計算され得る。ＲＩおよびＰＭＩは、ＵＥ１１５が空間多重化をサポートしない（またはサポート空間モードにない）場合、除外され得る。報告中に含まれる情報のタイプは報告タイプを決定する。ＣＳＩ報告は、周期的または非周期的であり得る。すなわち、基地局１０５は、一定の間隔で周期的報告を送るようにＵＥ１１５を構成し得、必要に応じて追加の報告をも要求し得る。非周期的報告は、セル帯域幅全体にわたるチャネル品質を示す広帯域報告、最良のサブバンドのサブセットを示すＵＥ選択報告、または報告されるサブバンドが基地局１０５によって選択される構成報告を含み得る。低レイテンシ動作の場合など、いくつかの場合には、ＵＥ１１５はまた、変化するチャネル状態に基づいて、更新の報告を送り得る。これらの報告は、ＵＥ開始型ＣＳＩ報告と呼ばれることがある。
【００４４】
[0052]ＵＥ１１５は、新しい接続を確立するかまたは低レイテンシ通信を開始するために、ＲＡＣＨプリアンブルを基地局１０５に送信し得る。これは、ＲＡＣＨメッセージ１として知られ得る。たとえば、ＲＡＣＨプリアンブルは、６４個の所定のシーケンスのセットからランダムに選択され得る。これは、基地局１０５が、システムに同時にアクセスすることを試みる複数のＵＥ１１５間で区別することを可能にし得る。基地局１０５は、アップリンク（ＵＬ）リソース許可と、タイミングアドバンスと、一時的セル無線ネットワーク一時識別情報（Ｃ−ＲＮＴＩ）とを与えるランダムアクセス応答（ＲＡＲ）、またはＲＡＣＨメッセージ２で応答し得る。次いで、ＵＥ１１５は、（ＵＥ１１５が、同じワイヤレスネットワークに前に接続されていた場合）一時モバイル加入者識別情報（ＴＭＳＩ）またはランダム識別子とともに無線リソース制御（ＲＲＣ）接続要求、またはＲＡＣＨメッセージ３を送信し得る。ＲＲＣ接続要求はまた、ＵＥ１１５が、ネットワークに接続している理由（たとえば、緊急事態、シグナリング、データ交換など）を示し得る。基地局１０５は、新しいセル無線ネットワーク一時識別情報（Ｃ−ＲＮＴＩ）を与え得る、ＵＥ１１５に宛てられた競合解消メッセージ、またはＲＡＣＨメッセージ４で接続要求に応答し得る。ＵＥ１１５が、正しい識別情報をもつ競合解消メッセージを受信した場合、ＵＥ１１５は、ＲＲＣセットアップを進め得る。ＵＥ１１５が競合解消メッセージを受信しない場合（たとえば、別のＵＥ１１５との競合がある場合）、ＵＥは、新しいＲＡＣＨプリアンブルを送信することによって、ＲＡＣＨプロセスを繰り返し得る。
【００４５】
[0053]ＵＥ１１５および基地局１０５は、ワイヤレスリンクのスループットを改善するために低レイテンシ通信を使用し得る。効率的な低レイテンシ通信を可能にするために、ＵＥ１１５は、ＵＥ開始型ＣＳＩ報告を送り得、これは、周期的および基地局トリガ型報告に加えて行われ得る。たとえば、ＵＥ１１５は、競合ベースのスペクトルを使用して、リクエストツートランスミットを使用して、または、ＣＳＩ差分（すなわち、チャネル状態の変化のインジケータ）を使用して、ＵＥ開始型ＣＳＩ報告を送り得る。基地局１０５は、コヒーレントまたは非コヒーレントアップリンク送信を使用するＣＳＩおよびＳＲのために各ＵＥ１１５にリソースを与えることによって、アップリンク低レイテンシ通信のために異なるＵＥ１１５をスケジュールし得る。ＣＳＩおよびＳＲはまた、ダウンリンク送信に基づくアップリンクフィードバックと組み合わせられ得る。アップリンクリソースは、異なる時間リソース、サブキャリア、または所定のシーケンスの異なるサイクリックシフトに基づき得る。
【００４６】
[0054]図２は、本開示の様々な態様による、ＳＲとＣＳＩとを用いた低レイテンシＰＵＣＣＨのためのワイヤレス通信システム２００の一例を示す。ワイヤレス通信システム２００は、図１を参照しながら説明されたＵＥ１１５基地局１０５の例であり得る、ＵＥ１１５−ａ、１１５−ｂ、１１５−ｃと基地局１０５−ａとを含み得る。ワイヤレス通信システム２００は、ＵＥ１１５−ａ、１１５−ｂ、１１５−ｃと基地局１０５−ａとの間のアップリンク送信とダウンリンク送信の両方をサポートし得る。各方向における送信は、データまたは制御メッセージのいずれかであり得る。アップリンク制御情報は、ＣＱＩと、ＳＲメッセージと、ダウンリンク送信についてのフィードバック（たとえば、ＡＫＣまたはＮＡＣＫ）とを含み得る。いくつかの場合には、アップリンク送信とダウンリンク送信の両方が、低レイテンシ動作（たとえば、スケジューリングのための基本時間単位が１ｍｓ未満である動作）に基づき得る。
【００４７】
[0055]ＣＱＩは、基地局１０５−ａによって送信された基準信号に基づいてＵＥ１１５−ａ（または別のＵＥ１１５）によって決定されたＣＳＩを反映し得る。ＣＱＩは、周期的にスケジュールされるか、または基地局１０５−ａによって開始され得る。低レイテンシ動作の場合、送信が現在のＣＳＩに基づくことを保証するために、ＵＥ開始型ＣＳＩ報告も使用され得る。ＵＥ開始型ＣＳＩ報告は、いくつかの方法で送られ得る。たとえば、ＵＥ１１５−ａは競合ベースのアップリンクリソースに基づいてＣＳＩ報告を送信し得、それはＣＳＩリクエストツートランスミット（たとえば、１ビットインジケータ）を送り得、または、それは（同じく１ビットインジケータであり得る）差分ＣＳＩを送信し得る。いくつかの場合には、ＵＥ開始型ＣＳＩ報告は、ＳＲ送信と組み合わせられ得る。
【００４８】
[0056]いくつかの例では、ＣＳＩ報告は、競合ベースのアップリンクリソースを通して割り振られ得る。したがって、リソース要素が、制御情報送信のために事前に割り振られ得る。送信することを試みるユーザは、制御情報を送るためにアップリンクリソースをランダムに選定し得る。とはいえ、いくつかの場合には、大きいペイロードサイズをもつ競合ベース方式は、リソースの過剰割振りまたは衝突によって引き起こされるレイテンシペナルティのいずれかによりコストがかかることがある。
【００４９】
[0057]他の例では、１ビットＣＳＩリクエストツートランスミットメッセージまたはインジケーションが、アップリンク送信上でＵＥ１１５−ａから基地局１０５−ａに送られ得る。要求を受信すると、基地局１０５−ａは、事前に割り振られたアップリンクリソースとともに、ＣＳＩトリガを指定するためのダウンリンク許可を送信し得る。基地局１０５−ａは、さらに、アップリンクＣＳＩ送信をアップリンクグループＡＣＫおよびＣＲＣと結合し得る。１ビット送信は、所与の低レイテンシユーザに事前に割り振られ得る。
【００５０】
[0058]他の例では、ＵＥ１１５−ａは、基地局１０５−ａへの送信のために１ビット差分ＣＳＩを生成し得る。たとえば、ＵＥ１１５−ａは、周期的ＣＳＩ割振り、または基地局１０５−ａからのトリガによって開始された非周期的割振りのいずれかを通して、完全ＣＳＩ報告を送り得る。ＵＥ１１５−ａは、完全ＣＳＩ報告の上に蓄積する、差分ＣＳＩ値を送り得る。１ビット送信は、所与の低レイテンシユーザに事前に割り振られ得る。
【００５１】
[0059]ある場合にはシステム２００を含む、いくつかのシステムでは、２シンボル低レイテンシＴＴＩ構造が使用され得、低レイテンシユーザが、ＳＲ／ＣＳＩリソースプールにおいて割り当てられ得る。ある場合には、コヒーレント送信が使用され得る。コヒーレント送信は、１／２ＲＢごとに３つのユーザを可能にし得る。パイロット信号およびＳＲ／ＣＳＩ要求は、２つの別個のサイクリックシフト上で送られ得る。これは、前に定義されたコヒーレントＡＣＫ構造と同じ構造を使用し得る。または、非コヒーレント送信が使用され得る。たとえば、非コヒーレント送信は、１／２ＲＢごとに６つのユーザを可能にし得る。したがって、ＳＲ／ＣＳＩ要求は、単一のサイクリックシフト上で送られ得る。いずれの場合も、ＳＲ／ＣＳＩリソースプールがＡＣＫユーザと共有される場合、またはユーザが両方のＲＢの両方のシンボルにおいて割り当てられる場合、容量がさらに改善され得る。基地局１０５−ａは、ＳＲとしてまたはＣＳＩ要求としてどのＴＴＩが割り当てられるかをユーザごとにあらかじめ定義し得る。したがって、基地局１０５−ａは、ＵＥ１１５−ａ、１１５−ｂ、１１５−ｃからのアップリンク送信を多重化し得る。
【００５２】
[0060]いくつかの例では、２シンボル低レイテンシＴＴＩ構造が使用され得、さらに、ＳＲ／ＣＳＩを含むようにＡＣＫ／ＮＡＣＫリソースプールが修正され得る。ダウンリンクにおいて低レイテンシ物理ダウンリンク共有チャネル（ｕＰＤＳＣＨ）割当てをスケジュールされたユーザが、アップリンクＡＣＫ物理アップリンク制御チャネル（ＰＵＣＣＨ）リソースを割り当てられ得る。周波数ホッピングされたシンボル上で、ユーザは、ＲＢごとに３つのサイクリックシフトを使用し得る。パイロットシンボルが、３つのサイクリックシフトの各々上でＡＣＫリソースとＳＲ／ＣＳＩ要求リソースとともにコヒーレントに送られ得る。基地局１０５−ａは、ＲＳ要求またはＣＳＩ要求としてどのＴＴＩが割り当てられるかを各ユーザについてあらかじめ定義し得る。
【００５３】
[0061]２シンボル低レイテンシＴＴＩ構造のためのユーザ容量は、ＲＢの数に基づいて決定され得る。たとえば、Ｎ個のＲＢの場合、合計２Ｎ個のシンボルリソースが利用可能であり得る。この例では、Ｙ個のシンボルリソースが、２Ｙ個のユーザのためのＡＣＫリソースとして使用され得る。コヒーレント送信が使用される場合、２Ｎ−Ｙ個のシンボルリソースが、３（２Ｎ−Ｙ）個のユーザのためのＳＲ／ＣＳＩ要求リソースのために使用され得る。非コヒーレント送信が使用される場合、２Ｎ−Ｙ個のシンボルが、６（２Ｎ−Ｙ）個のユーザのためのＳＲ／ＣＳＩ要求リソースとして使用され得る。コヒーレントユーザと非コヒーレントユーザとは、同じＲＢにおいて組み合わせられ得る。さらにより多くのユーザをサポートするために、ユーザは特定の周期性でＳＲ／ＣＳＩリソースに割り当てられ得るが、これは増加されたレイテンシにつながり得る。
【００５４】
[0062]いくつかのユーザは、システム制約、動作状態、またはユーザ選好により、アップリンクへの低レイテンシアクセスを利用しないことがある。したがって、上述のように、ユーザは、低レイテンシアップリンクリソースを取得するためにＲＡＣＨを使用し得る。ＲＡＣＨシグネチャは、低レイテンシＳＲ／ＣＳＩ要求にマッピングされ得るシグネチャのセットに限定され得る。基地局１０５−ａは、多くの方法で低レイテンシアップリンクリソースを取得するためにＲＡＣＨを使用することを扱い得る。たとえば、基地局１０５−ａは、ＲＡＣＨ応答を通してＳＲ／ＣＳＩ要求のためのワンタイムアクセスを許可し得る。基地局１０５−ａは、追加のＰＵＣＣＨリソースを確保し得る。他の例では、基地局１０５−ａは、ユーザを既存のユーザとスワップし得る。したがって、基地局１０５−ａは、ＲＡＣＨ構成を通して、既存のユーザにリソースの損失を示し、新しいユーザにリソースを伝達し得る。
【００５５】
[0063]図３Ａおよび図３Ｂは、本開示の様々な態様による、ＳＲとＣＳＩとを用いた低レイテンシＰＵＣＣＨのための例示的なコヒーレントＳＲ／ＣＳＩスケジューリング構成３０１および非コヒーレントＳＲ／ＣＳＩスケジューリング構成３０２を示す。コヒーレントＳＲ／ＣＳＩスケジューリング構成３０１および非コヒーレントＳＲ／ＣＳＩスケジューリング構成３０２は、図１〜図２を参照しながら説明されたＵＥ１１５と基地局１０５とによって利用され得る。コヒーレントＳＲ／ＣＳＩスケジューリング構成３０１および非コヒーレントＳＲ／ＣＳＩスケジューリング構成３０２は、周波数ホッピングを用いた２シンボルＴＴＩに基づく一例を表し得、異なる構成をもつ（たとえば、他のＴＴＩ長さをもつ）システムのために同様のスケジューリング技法が使用され得る。
【００５６】
[0064]コヒーレントＳＲ／ＣＳＩスケジューリング構成３０１のシンボル３０５−ｂおよび３１０−ａは、３つの異なるユーザについてのパイロットシンボルと、ＳＲと、ＣＳＩ要求とを含む、コヒーレント送信を含み得る。すなわち、各ユーザのためのアップリンクリソースは、１２個のリソースユニットのうちの４つを占有し得る。シンボル３０５−ｂとシンボル３１０−ａとは、同じユーザによって利用され、異なる時間において送信され得る。シンボル３０５−ｂは、たとえば、シンボルのシーケンス中のシンボル２ｎであり得る。シンボル３１０−ａは、シンボル３０５−ｂと異なる周波数で送信され得、シンボル３０５−ｂに時間的に後続し、すなわち、シンボル２ｎ＋１であり得る。シンボル３０５−ｂおよび３１０−ａは、ＳＲおよびＣＳＩ要求と一緒にパイロットシンボルを送信することにより、コヒーレントであり得る。
【００５７】
[0065]シンボル３０５−ａおよび３１０−ｂ（および同様に、シンボル３０５−ｃおよび３１０−ｄ）は、２つのユーザについてのパイロットシンボル、ＡＣＫ、ＳＲ、およびＣＳＩ要求を含む送信に基づいて、一緒にスケジュールされ得る。すなわち、リソースブロック３１５のサブキャリアおよび所定の信号のサイクリックシフトは、１２個のユニットのリソースプールを表し得る。パイロットシンボル、ＡＣＫ、ＳＲ、およびＣＳＩ要求を含むアップリンク送信は、６つのユニットを使用し得、したがって、各シンボルは２つのユーザに適応し得る。シンボル３０５−ａは、たとえば、シンボルのシーケンス中のシンボル２ｎであり得る。シンボル３１０−ｂは、シンボル３０５−ａと異なる周波数で送信され得、シンボル３０５−ａに時間的に後続し、すなわち、シンボル２ｎ＋１であり得る。
【００５８】
[0066]非コヒーレントＳＲ／ＣＳＩスケジュールング構成３０２のシンボル３０５−ｄおよび３１０−ｃは、６つの異なるユーザについての非コヒーレントアップリンクＳＲ／ＣＳＩ送信（すなわち、パイロット信号を伴わないＳＲ／ＣＳＩ送信）を含み得る。各非コヒーレントＳＲ／ＣＳＩ送信は、リソースブロック３１５ごとに２つのリソースユニットを利用し得る。したがって、６つのユーザが同時に多重化され得る。シンボル３０５−ｄは、シンボル２ｎにおける第１のリソースブロック上の第１のシンボル期間を表し得、シンボル３１０−ｃは、周波数ホッピング構成に基づく異なるリソースブロック３１５上の後続のシンボル２ｎ＋１を表し得る。
【００５９】
[0067]リソースブロック３１５−ａおよび３１５−ｂは、パイロット信号と、ＡＣＫと、ＳＲと、ＣＳＩ要求とを含む、複数のユーザに関するアップリンク情報をスケジュールするために使用される（たとえば、周波数ホッピング構成に基づく）ぺアにされた周波数領域であり得る。リソースブロック３１５−ａは、リソースブロック３１５−ｂよりも高い周波数にあり得る。シンボル３０５−ａ（または３０５−ｃ）中にリソースブロック３１５−ａ中でユーザによって送信された情報は、その後、送信した後にリソースブロック３１５−ｂを使用してシンボル３１０−ｂ（または３１０−ｄ）中に送信され得、リソースブロック３１５−ｂ中の情報は、周波数をリソースブロック３１５−ａの周波数にホッピングし得る。
【００６０】
[0068]送信３２０−ａ、３２０−ｂ、３２０−ｃ、および３２０−ｄは、パイロットシンボルと、ＡＣＫと、ＳＲと、ＣＳＩ要求とを含むコヒーレント送信を表し得る。送信３２０−ａ、３２０−ｂ、３２０−ｃ、および３２０−ｄはそれぞれ、異なるＵＥ１１５からの情報を含み得る。送信３２５−ａ、３２５−ｂ、および３２５−ｃは、パイロットシンボルと、ＳＲと、ＣＳＩ要求とを含む送信であり得る。送信３２５−ａ、３２５−ｂ、および３２５−ｃは、それらがＳＲおよびＣＳＩ要求に沿ってパイロット信号を含むので、コヒーレントであり得る。これらの送信は、異なるユーザについての情報を含み得、それらの各々は、同じリソースブロック３１５−ｂ中で送られ得る。
【００６１】
[0069]送信３３０−ａ、３３０−ｂ、３３０−ｃ、３３０−ｄ、３３０−ｅ、および３３０−ｆは、たとえば、ＳＲとＣＳＩ要求とを含む送信であり得る。これらの送信は、それらがＳＲおよびＣＳＩ要求に沿ってパイロット信号を含まないことがあるので、非コヒーレントであり得る。これらの送信は、異なるユーザについての情報を含み得るが、それらの各々は、同じリソースブロック３１５−ｄ中で送られ得る。シンボル３０５−ａおよび３０５−ｂが、それぞれシンボル３１０−ａおよび３１０−ｂになるために周波数をどのようにホッピングすることになるかと同様に、リソースブロック３１５−ｄ中での送信は、周波数を３１５−ｃの周波数にホッピングし得、時間的に後続の送信について、その逆も同様である。
【００６２】
[0070]図４は、本開示の様々な態様による、ＳＲとＣＳＩとを用いた低レイテンシＰＵＣＣＨをサポートするシステムにおけるプロセスフロー４００の一例を示す。プロセスフロー４００は、図１〜図２を参照しながら説明されたＵＥ１１５と基地局１０５との例であり得る、ＵＥ１１５−ｄと基地局１０５−ｂとを含み得る。これらの構成要素の各々は、低レイテンシワイヤレスシステムを通して互いと通信していることがある。プロセスフロー４００は、競合ベースの（またはスケジュールされていない）リソースを使用してＵＥ開始型ＣＳＩ報告を送信する方法を表し得る。
【００６３】
[0071]いくつかの場合には、ＵＥ１１５−ａおよび基地局１０５は、共有または無認可周波数スペクトルで動作し得る。これらのデバイスは、チャネルが利用可能であるかどうかを決定するために、通信する前にクリアチャネルアセスメント（ＣＣＡ：clear channel assessment）を実行し得る。ＣＣＡは、任意の他のアクティブ送信があるかどうかを決定するためのエネルギー検出プロシージャを含み得る。たとえば、デバイスは、電力計の信号強度の変化が、チャネルが占有されることを示すと推論し得る。詳細には、ある帯域幅中に集中し、所定の雑音フロアを超えるである信号電力が、別のワイヤレス送信機を示し得る。ＣＣＡは、チャネルの使用を示す特定のシーケンスの検出をも含み得る。たとえば、別のデバイスが、データシーケンスを送信するより前に特定のプリアンブルを送信し得る。
【００６４】
[0072]ステップ４０５において、ＵＥ１１５−ｄと基地局１０５−ｂとは、互いの間で低レイテンシリンクを確立し得る。この通信リンクは、第１のＴＴＩ持続時間と、第１のＴＴＩ持続時間よりも大きい第２のＴＴＩ持続時間とを用いた動作をサポートするシステムにおいて、第１のＴＴＩ持続時間を使用し得る。たとえば、第１のＴＴＩ持続時間は、様々な例では、１つのＬＴＥシンボル期間の持続時間、２つのＬＴＥシンボル期間の持続時間、または１つのＬＴＥスロットの持続時間であり得る。
【００６５】
[0073]ステップ４１０において、基地局１０５−ｂはパイロット信号をＵＥ１１５−ｄに送り得る。パイロット信号は、基地局１０５−ｂとＵＥ１１５−ｄの両方に知られている様式で処理される、知られているデータパターンであり得る。ＵＥ１１５−ｄは、たとえば、チャネル応答を計算するための参照としてパイロット信号を使用し得る。
【００６６】
[0074]ステップ４１５において、ＵＥ１１５−ｄは、ＵＥ１１５−ｄと基地局１０５−ｂとの間の接続についてのＣＳＩを決定し得る。ＵＥ１１５−ｄは、ＣＳＩを計算するための参照として、前に受信されたパイロット信号を使用し得る。ＣＳＩは、雑音の多いまたは不十分な信号の場合、チャネル補正のためのインジケータとして基地局１０５−ｂによって使用され得る。
【００６７】
[0075]ステップ４２０において、ＵＥ１１５−ｄは、競合ベースのリソースを使用してＣＳＩ報告を基地局１０５−ｂに送信し得る。たとえば、ＵＥ１１５−ｄは、共有または無認可スペクトルを使用して、ＵＥ開始型ＣＳＩ報告を基地局１０５−ｂに送信し得る（いくつかの場合には、これらの報告は、認可スペクトルを使用して送られた周期的報告への補足として送られ得る）。ＵＥ１１５−ｄがその上で送信することを意図するチャネルが使用されている場合、ＵＥ１１５−ｄは、クリアチャネルアセスメントプロシージャに従って送信を遅延され得る。
【００６８】
[0076]図５は、本開示の様々な態様による、ＳＲとＣＳＩとを用いた低レイテンシＰＵＣＣＨをサポートするシステムにおけるプロセスフロー５００の一例を示す。プロセスフロー５００は、図１〜図２を参照しながら説明されたＵＥ１１５と基地局１０５との例であり得る、ＵＥ１１５−ｅと基地局１０５−ｃとを含み得る。これらの構成要素の各々は、低レイテンシワイヤレスシステムを通してにおいて互いと通信していることがある。プロセスフロー５００は、ＣＳＩ送信要求を使用してＵＥ開始型ＣＳＩ報告を送信するための方法を表し得る。
【００６９】
[0077]ステップ５０５において、ＵＥ１１５−ｅと基地局１０５−ｃとは、互いの間で低レイテンシリンクを確立し得る。この通信リンクは、第１のＴＴＩ持続時間と、第１のＴＴＩ持続時間よりも大きい第２のＴＴＩ持続時間とを用いた動作をサポートするシステムにおいて、第１のＴＴＩ持続時間を使用し得る。低レイテンシリンクを確立した後、基地局１０５−ｃは、ステップ５１０においてパイロット信号をＵＥ１１５−ｅに送り得る。パイロット信号は、基地局１０５−ｃとＵＥ１１５−ｅの両方に知られている様式で処理される、知られているデータパターンであり得る。ＵＥ１１５−ｅは、たとえば、チャネル応答を計算するための参照としてパイロット信号を使用し得る。
【００７０】
[0078]ステップ５１５において、ＵＥ１１５−ｅは、ＵＥ１１５−ｅと基地局１０５−ｃとの間の接続についてのＣＳＩを決定し得る。ＵＥ１１５−ｅは、ＣＳＩを計算するための参照として、前に受信されたパイロット信号を使用し得る。ＣＳＩは、雑音の多いまたは不十分な信号の場合、チャネル補正のためのインジケータとして基地局１０５−ｃによって使用され得る。ステップ５２０において、ＵＥ１１５−ｅは、アップリンク送信要求を基地局１０５−ｃに送り得る。アップリンク送信要求は、ＵＥ１１５−ｅが、たとえば、ステップ５１０において送信されたパイロット信号を使用して、ステップ５１５において決定されたＣＳＩを送るための許可を求めて送られ得る。いくつかの場合には、送信要求は、（たとえば、図３を参照しながら説明された多重化構成を使用する）本明細書で説明されるアップリンク送信中に含まれる１ビットインジケータであり得る。
【００７１】
[0079]ステップ５２５において、基地局１０５−ｃは、ダウンリンク許可をＵＥ１１５−ｅに送り得る。ダウンリンク許可は、たとえば、ステップ５２０において送られた送信要求に応答したものであり得る。ダウンリンク許可は、ＵＥ１１５−ｅに、たとえば、ステップ５１５において決定されたＣＳＩ報告を送るための許可を与え得る。いくつかの場合には、ダウンリンク許可は、ＣＳＩ報告を送るためのトリガを含み得る。
【００７２】
[0080]ステップ５３０において、ＵＥ１１５−ｅは、ＣＳＩ報告を送るためのトリガを識別し得る。これは、ＵＥ１１５−ｅが、ステップ５１５において決定されたＣＳＩ報告を基地局１０５−ｃに送信することにつながり得る。これは、ステップ５２５においてＵＥ１１５−ｅによって受信されるダウンリンク許可を受信した結果として起こり得る。次いで、ステップ５３５において、ＵＥ１１５−ｅは、ＣＳＩ報告を基地局１０５−ｃに送信し得る。
【００７３】
[0081]図６は、本開示の様々な態様による、ＳＲとＣＳＩとを用いた低レイテンシＰＵＣＣＨのためのプロセスフロー６００の一例を示す。プロセスフロー６００は、図１〜図２を参照しながら説明されたＵＥ１１５と基地局１０５との例であり得る、ＵＥ１１５−ｆと基地局１０５−ｄとを含み得る。プロセスフロー６００は、前に報告されたＣＳＩによって確立されたベースラインに基づく差分として、ＵＥ開始型ＣＳＩ報告を送信する方法を表し得る。
【００７４】
[0082]ＵＥ１１５−ｆおよび基地局１０５−ｄは、ステップ６０５に示されているように低レイテンシリンクを確立し得る。低レイテンシ通信リンクは、第１のＴＴＩ持続時間と、第１のＴＴＩ持続時間よりも大きくなり得る第２のＴＴＩ持続時間とを用いた動作をサポートするシステムにおいて、第１のＴＴＩ持続時間を使用し得る。
【００７５】
[0083]ステップ６１０において、基地局１０５−ｄは、ステップ６０５において確立された低レイテンシリンク上で、ＵＥ１１５−ｆにパイロット信号を送り得る。パイロット信号は、基地局１０５−ｄとＵＥ１１５−ｆの両方に知られている様式で処理される、知られているデータパターンであり得る。ＵＥ１１５−ｆは、たとえば、チャネル応答を計算するための参照としてパイロット信号を使用し得る。
【００７６】
[0084]ステップ６１５において、ＵＥ１１５−ｆは、たとえば、ステップ６１０において送られたパイロット信号に基づいて、第１のＣＳＩを決定し得る。このＣＳＩは、低レイテンシリンクの品質が改善しているのか、より不良になっているのかを決定する際に、将来のチャネル応答のための参照として使用され得る。ステップ６２０において、ＵＥ１１５−ｆは、ＣＳＩ報告を基地局１０５−ｄに送信し得る。
【００７７】
[0085]ステップ６２５において、基地局１０５−ｄは別のパイロット信号を送り得る。このパイロット信号は、基地局１０５−ｄとＵＥ１１５−ｆの両方に知られている様式で処理される、知られているパターンであり得る。ＵＥ１１５−ｆは、たとえば、チャネル応答を計算するための参照としてパイロット信号を使用し得る。ＵＥ１１５−ｆは、次いで、ステップ６３０において、ＣＳＩ差分を決定するためにパイロット信号を使用し得る。ＣＳＩ差分は、完全ＣＳＩ報告でないことがあるが、代わりに、チャネル状態が、前のパイロット信号送信以来、改善したのか、より不良になったのかに関する参照になり得る。ＵＥ１１５は、次いで、たとえば、ステップ６０５において確立された低レイテンシリンク上で、基地局１０５−ｄにＣＳＩ差分を報告し得る。
【００７８】
[0086]ステップ６３５において、ＵＥ１１５−ｆは、（たとえば、アップリンク送信の１ビットフィールド中で）ＵＥ開始型ＣＳＩ差分を送信し得る。
【００７９】
[0087]図７は、本開示の様々な態様による、ＳＲとＣＳＩとを用いた低レイテンシＰＵＣＣＨをサポートするワイヤレスデバイス７００のブロック図を示す。ワイヤレスデバイス７００は、図１〜図６を参照しながら説明されたＵＥ１１５の態様の一例であり得る。ワイヤレスデバイス７００は、受信機７０５、低レイテンシＣＳＩモジュール７１０、または送信機７１５を含み得る。ワイヤレスデバイス７００はプロセッサをも含み得る。これらの構成要素の各々は互いと通信していることがある。
【００８０】
[0088]受信機７０５は、パケット、ユーザデータ、または様々な情報チャネルに関連する制御情報（たとえば、制御チャネル、データチャネル、およびＳＲとＣＳＩとを用いた低レイテンシＰＵＣＣＨに関係する情報など）などの情報を受信し得る。情報は、低レイテンシＣＳＩモジュール７１０に、およびワイヤレスデバイス７００の他の構成要素に受け渡され得る。いくつかの例では、受信機７０５は、予約されたリソースのセットを示すシグナリングを受信し得る。いくつかの例では、シグナリングはダウンリンク許可を含む。
【００８１】
[0089]低レイテンシＣＳＩモジュール７１０は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定し、決定されたＣＳＩをもつ報告をそれの上で送信するためのスケジュールされていないアップリンクチャネルのリソースを識別し、識別されたリソース上で報告を送信し得る。
【００８２】
[0090]送信機７１５は、ワイヤレスデバイス７００の他の構成要素から受信された信号を送信し得る。いくつかの例では、送信機７１５は、トランシーバにおいて受信機７０５とコロケートされ得る。送信機７１５は単一のアンテナを含み得るか、またはそれは複数のアンテナを含み得る。
【００８３】
[0091]図８は、本開示の様々な態様による、ＳＲとＣＳＩとを用いた低レイテンシＰＵＣＣＨをサポートするワイヤレスデバイス８００のブロック図を示す。ワイヤレスデバイス８００は、図１〜図７を参照しながら説明されたワイヤレスデバイス７００またはＵＥ１１５の態様の一例であり得る。ワイヤレスデバイス８００は、受信機７０５−ａ、低レイテンシＣＳＩモジュール７１０−ａ、または送信機７１５−ａを含み得る。ワイヤレスデバイス８００はプロセッサをも含み得る。これらの構成要素の各々は互いと通信していることがある。低レイテンシＣＳＩモジュール７１０−ａはまた、ＣＳＩ識別モジュール８０５と、リソース識別モジュール８１０と、ＣＳＩ報告モジュール８１５とを含み得る。
【００８４】
[0092]受信機７０５−ａは、低レイテンシＣＳＩモジュール７１０−ａに、およびワイヤレスデバイス８００の他の構成要素に受け渡され得る情報を受信し得る。低レイテンシＣＳＩモジュール７１０−ａは、図７を参照しながら説明された動作を実行し得る。送信機７１５−ａは、ワイヤレスデバイス８００の他の構成要素から受信された信号を送信し得る。
【００８５】
[0093]ＣＳＩ識別モジュール８０５は、図２〜図６を参照しながら説明されたように、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定し得る。ＣＳＩ識別モジュール８０５はまた、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定し得る。
【００８６】
[0094]リソース識別モジュール８１０は、図２〜図６を参照しながら説明されたように、決定されたＣＳＩをもつ報告をそれの上で送信するためのスケジュールされていないアップリンクチャネルのリソースを識別し得る。いくつかの例では、スケジュールされていないアップリンクチャネルのリソースを識別することは、ＵＣＩのために予約されたリソースのセットからリソースが選択することを含む。予約されたリソースのセットは、ＳＲ、ＣＳＩ報告、またはＨＡＲＱフィードバックなどのために予約されたリソースを含み得る。いくつかの例では、予約されたリソースのセットは、第１のＴＴＩ持続時間を有するＴＴＩのリソースブロックのセットを含む。予約されたリソースのセットは、予約されたリソースのセットがそれに割り振られ得るＵＥの数に基づき得る。ＵＥの数は、コヒーレントユーザまたは非コヒーレントユーザ、あるいは両方を含み得る。いくつかの例では、予約されたリソースのセットは、システム内の異なるＵＥに周期的に割り振られ得る。追加または代替として、スケジュールされていないアップリンクチャネルのリソースを識別することは、第１のＴＴＩ持続時間を有するＴＴＩがＣＳＩ報告のために利用可能であると決定することを含み得る。
【００８７】
[0095]ＣＳＩ報告モジュール８１５は、図２〜図６を参照しながら説明されたように、識別されたリソース上で報告を送信し得る。いくつかの例では、報告は、アップリンク基準信号とは異なるサイクリックシフトを用いて送信され得る。ＣＳＩ報告モジュール８１５はまた、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩをもつ報告を送信し得る。
【００８８】
[0096]図９は、本開示の様々な態様による、ＳＲとＣＳＩとを用いた低レイテンシＰＵＣＣＨをサポートするワイヤレスデバイス７００またはワイヤレスデバイス８００の構成要素であり得る、低レイテンシＣＳＩモジュール７１０−ｂのブロック図９００を示す。低レイテンシＣＳＩモジュール７１０−ｂは、図７〜図８を参照しながら説明された低レイテンシＣＳＩモジュール７１０の態様の一例であり得る。低レイテンシＣＳＩモジュール７１０−ｂは、ＣＳＩ識別モジュール８０５−ａと、リソース識別モジュール８１０−ａと、ＣＳＩ報告モジュール８１５−ａとを含み得る。これらのモジュールの各々は、図８を参照しながら説明された機能を実行し得る。低レイテンシＣＳＩモジュール７１０−ｂは、ＲＡＣＨモジュール９０５と、リソース要求モジュール９１０と、リソース許可モジュール９１５と、チャネル状態差モジュール９２０と、差報告モジュール９２５とをも含み得る。
【００８９】
[0097]ＲＡＣＨモジュール９０５は、図２〜図６を参照しながら説明されたように、ＲＡＣＨメッセージを送信し得る。ＲＡＣＨモジュール９０５はまた、ＲＡＣＨメッセージに応答するメッセージを受信し得、したがって、スケジュールされていないアップリンクチャネルのリソースは、応答するメッセージに基づいて識別される。ＲＡＣＨモジュール９０５はまた、ＲＡＣＨメッセージに応答するメッセージを受信し得、したがって、応答するメッセージは、ＣＳＩをもつ報告、または報告されたＣＳＩとチャネル状態の変化との間の差を示すシグナリングをそれの上で送信するためのアップリンクリソースについての許可を含み得る。
【００９０】
[0098]リソース要求モジュール９１０は、図２〜図６を参照しながら説明されたように、決定されたＣＳＩをもつ報告をそれの上で送るためのリソースについての要求を送信し得る。
【００９１】
[0099]リソース許可モジュール９１５は、図２〜図６を参照しながら説明されたように、要求に応答して、報告のためのアップリンクリソースについての許可を受信し得る。いくつかの例では、アップリンクリソースは、ＵＣＩのために予約されたリソースのセットから選択される。いくつかの例では、予約されたリソースのセットは、ＳＲ、ＣＳＩ報告、および／またはＨＡＲＱフィードバックのために予約されたリソースを含む。予約されたリソースのセットは、予約されたリソースのセットがそれに割り振られ得るＵＥの数に基づいて予約され得、ＵＥの数は、コヒーレントユーザまたは非コヒーレントユーザ、あるいは両方を含み得る。いくつかの例では、アップリンクリソースについての許可は、ダウンリンクデータチャネル中で受信され得る。リソース許可モジュール９１５は、ＣＳＩをもつ報告、または報告されたＣＳＩとチャネル状態の変化との間の差を示すシグナリングをそれの上で送るためのリソースについての許可をダウンリンクデータチャネル中で受信し得る。
【００９２】
[0100]チャネル状態差モジュール９２０は、図２〜図６を参照しながら説明されたように、通信リンクについてのチャネル状態の変化を決定し得る。
【００９３】
[0101]差報告モジュール９２５は、図２〜図６を参照しながら説明されたように、報告されたＣＳＩとチャネル状態の変化との間の差を示すシグナリングを送信し得る。いくつかの例では、ＣＳＩをもつ報告、または報告されたＣＳＩとチャネル状態の変化との間の差を示すシグナリングは、ＵＣＩのために予約されたリソースのセットから選択されたリソース上で送信され得る。いくつかの例では、予約されたリソースのセットは、ＳＲ、ＣＳＩ報告、ＨＡＲＱフィードバックなどのために予約されたリソースを含む。いくつかの例では、予約されたリソースのセットは、予約されたリソースのセットがそれに割り振られるＵＥの数に基づいて予約される。ＵＥの数は、コヒーレントユーザまたは非コヒーレントユーザのいずれかまたは両方を含み得る。いくつかの例では、ＣＳＩをもつ報告、または報告されたＣＳＩとチャネル状態の変化との間の差を示すシグナリングは、アップリンク基準信号とは異なるサイクリックシフトを用いたものである。
【００９４】
[0102]図１０は、本開示の様々な態様による、ＳＲとＣＳＩとを用いた低レイテンシＰＵＣＣＨをサポートする、ＵＥを含むシステム１０００の図を示す。システム１０００は、図１、図２および図７〜図９を参照しながら説明されたワイヤレスデバイス７００、ワイヤレスデバイス８００、またはＵＥ１１５の一例であり得る、ＵＥ１１５−ｇを含み得る。ＵＥ１１５−ｇは、図７〜図９を参照しながら説明された低レイテンシＣＳＩモジュール７１０の一例であり得る、低レイテンシＣＳＩモジュール１０１０を含み得る。ＵＥ１１５−ｇは、本明細書で説明されるようにＥＣＣ動作を可能にし得る、ＥＣＣモジュール１０２５をも含み得る。ＵＥ１１５−ｇは、通信を送信するための構成要素と通信を受信するための構成要素とを含む、双方向音声およびデータ通信のための構成要素をも含み得る。たとえば、ＵＥ１１５−ｇは基地局１０５−ｅと双方向に通信し得る。
【００９５】
[0103]ＵＥ１１５−ｇは、プロセッサ１００５と、（ソフトウェア（ＳＷ）１０２０を含む）メモリ１０１５と、トランシーバ１０３５と、１つまたは複数のアンテナ１０４０とをも含み得、それらの各々は、（たとえば、バス１０４５を介して）直接または間接的に互いと通信し得る。トランシーバ１０３５は、低レイテンシＣＳＩモジュール１０１０と組み合わせて、上記で説明されたように、（１つまたは複数の）アンテナ１０４０あるいはワイヤードリンクまたはワイヤレスリンクを介して、１つまたは複数のネットワークと双方向に通信し得る。たとえば、トランシーバ１０３５は、基地局１０５または別のＵＥ１１５と双方向に通信し得る。トランシーバ１０３５は、パケットを変調し、変調されたパケットを送信のために（１つまたは複数の）アンテナ１０４０に与え、（１つまたは複数の）アンテナ１０４０から受信されたパケットを復調するためのモデムを含み得る。
【００９６】
[0104]メモリ１０１５は、ランダムアクセスメモリ（ＲＡＭ）および読取り専用メモリ（ＲＯＭ）を含み得る。メモリ１０１５は、実行されたとき、プロセッサ１００５に、低レイテンシＣＳＩモジュール１０１０またはｅＣＣモジュール１０２５、あるいは両方に関して説明された機能を含む、本明細書で説明される様々な機能（たとえば、ＳＲとＣＳＩとを用いた低レイテンシＰＵＣＣＨなど）を実行させる命令を含む、コンピュータ可読、コンピュータ実行可能ソフトウェア／ファームウェアコード１０２０を記憶し得る。代替的に、ソフトウェア／ファームウェアコード１０２０は、プロセッサ１００５によって直接的に実行可能でないことがあるが、（たとえば、コンパイルされ実行されたとき）コンピュータに本明細書で説明される機能を実行させ得る。プロセッサ１００５は、インテリジェントハードウェアデバイス、（たとえば、中央処理ユニット（ＣＰＵ）、マイクロコントローラ、特定用途向け集積回路（ＡＳＩＣ）など）を含み得る。
【００９７】
[0105]図１１は、本開示の様々な態様による、ＳＲとＣＳＩとを用いた低レイテンシＰＵＣＣＨをサポートするワイヤレスデバイス１１００のブロック図を示す。ワイヤレスデバイス１１００は、図１〜図１０を参照しながら説明された基地局１０５の態様の一例であり得る。ワイヤレスデバイス１１００は、受信機１１０５、基地局低レイテンシＣＳＩモジュール１１１０、または送信機１１１５を含み得る。ワイヤレスデバイス１１００はプロセッサをも含み得る。これらの構成要素の各々は互いと通信していることがある。
【００９８】
[0106]受信機１１０５は、パケット、ユーザデータ、または様々な情報チャネルに関連する制御情報（たとえば、制御チャネル、データチャネル、およびＳＲとＣＳＩとを用いた低レイテンシＰＵＣＣＨに関係する情報など）などの情報を受信し得る。情報は、基地局低レイテンシＣＳＩモジュール１１１０に、およびワイヤレスデバイス１１００の他の構成要素に受け渡され得る。
【００９９】
[0107]基地局低レイテンシＣＳＩモジュール１１１０は、ＵＣＩのために予約されたリソースのセットを決定し、予約されたリソースのセットのうちのリソース上でＵＥから、ＣＳＩをもつ報告、ＣＳＩ報告をそれの上で送るためのリソースについての要求、またはＣＳＩの変化を示すシグナリングのうちの少なくとも１つを受信し得、通信は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する。
【０１００】
[0108]送信機１１１５は、ワイヤレスデバイス１１００の他の構成要素から受信された信号を送信し得る。いくつかの例では、送信機１１１５は、トランシーバにおいて受信機１１０５とコロケートされ得る。送信機１１１５は単一のアンテナを含み得るか、またはそれは複数のアンテナを含み得る。
【０１０１】
[0109]図１２は、本開示の様々な態様による、ＳＲとＣＳＩとを用いた低レイテンシＰＵＣＣＨをサポートするワイヤレスデバイス１２００のブロック図を示す。ワイヤレスデバイス１２００は、図１〜図１１を参照しながら説明されたワイヤレスデバイス１１００または基地局１０５の態様の一例であり得る。ワイヤレスデバイス１２００は、受信機１１０５−ａ、基地局低レイテンシＣＳＩモジュール１１１０−ａ、または送信機１１１５−ａを含み得る。ワイヤレスデバイス１２００はプロセッサをも含み得る。これらの構成要素の各々は互いと通信していることがある。基地局低レイテンシＣＳＩモジュール１１１０−ａはまた、ＵＣＩリソース識別モジュール１２０５と、ＣＳＩ受信モジュール１２１０とを含み得る。
【０１０２】
[0110]受信機１１０５−ａは、基地局低レイテンシＣＳＩモジュール１１１０−ａに、およびワイヤレスデバイス１２００の他の構成要素に受け渡され得る情報を受信し得る。基地局低レイテンシＣＳＩモジュール１１１０−ａは、図１１を参照しながら説明された動作を実行し得る。送信機１１１５−ａは、ワイヤレスデバイス１２００の他の構成要素から受信された信号を送信し得る。
【０１０３】
[0111]ＵＣＩリソース識別モジュール１２０５は、図２〜図６を参照しながら説明されたように、ＵＣＩのために予約されたリソースのセットを決定し得る。いくつかの例では、予約されたリソースのセットは、ＳＲ、ＣＳＩ報告、またはＨＡＲＱフィードバックなどのために予約されたリソースを含む。予約されたリソースのセットは、第１のＴＴＩ持続時間を有するＴＴＩのリソースブロックのセットを含み得る。いくつかの例では、予約されたリソースのセットは、予約されたリソースのセットがそれに割り振られ得るＵＥ数に基づき得、ＵＥの数は、コヒーレントユーザまたは非コヒーレントユーザ、あるいは両方を含み得る。予約されたリソースのセットは、システム内の異なるＵＥに周期的に割り振られ得る。ＵＣＩリソース識別モジュール１２０５はまた、第１のＴＴＩ持続時間を有するＴＴＩがＣＳＩ報告のために予約されることを示すシグナリングを、ＵＥに送信し得る。
【０１０４】
[0112]ＣＳＩ受信モジュール１２１０は、図２〜図６を参照しながら説明されたように、予約されたリソースのセットのうちのリソース上でＵＥから、ＣＳＩをもつ報告、ＣＳＩ報告をそれの上で送るためのリソースについての要求、またはＣＳＩの変化を示すシグナリングのうちの少なくとも１つを受信し得、通信は、第１のＴＴＩ持続時間と、第１のＴＴＩ持続時間よりも大きい第２のＴＴＩ持続時間とを用いた動作をサポートするシステムにおいて、第１のＴＴＩ持続時間を使用する。
【０１０５】
[0113]図１３は、本開示の様々な態様による、ＳＲとＣＳＩとを用いた低レイテンシＰＵＣＣＨをサポートするワイヤレスデバイス１１００またはワイヤレスデバイス１２００の構成要素であり得る、基地局低レイテンシＣＳＩモジュール１１１０−ｂのブロック図１３００を示す。基地局低レイテンシＣＳＩモジュール１１１０−ｂは、図１１〜図１２を参照しながら説明された基地局低レイテンシＣＳＩモジュール１１１０の態様の一例であり得る。基地局低レイテンシＣＳＩモジュール１１１０−ｂは、ＵＣＩリソース識別モジュール１２０５−ａと、ＣＳＩ受信モジュール１２１０−ａとを含み得る。これらのモジュールの各々は、図１２を参照しながら説明された機能を実行し得る。基地局低レイテンシＣＳＩモジュール１１１０−ｂはまた、予約されたリソースインジケーションモジュール（reserved resources indication module）１３０５と、ＢＳ  ＲＡＣＨモジュール１３１０と、リソース再割当てモジュール１３１５とを含み得る。
【０１０６】
[0114]予約されたリソース指示モジュール１３０５は、図２〜図６を参照しながら説明されたように、予約されたリソースのセットを示すシグナリングをＵＥに送信し得る。いくつかの例では、予約されたリソースのセットを示すシグナリングは、ダウンリンク許可を含む。
【０１０７】
[0115]ＢＳ  ＲＡＣＨモジュール１３１０は、図２〜図６を参照しながら説明されたように、ＵＥからＲＡＣＨメッセージを受信し得る。
【０１０８】
[0116]リソース再割当てモジュール１３１５は、図２〜図６を参照しながら説明されたように、予約されたリソースの再割当てを示すシグナリングを異なるＵＥに送信し得る。
【０１０９】
[0117]図１４は、本開示の様々な態様による、ＳＲとＣＳＩとを用いた低レイテンシＰＵＣＣＨをサポートする、基地局を含むシステム１４００の図を示す。システム１４００は、図１、図２および図１１〜図１３を参照しながら説明されたワイヤレスデバイス１１００、ワイヤレスデバイス１２００、または基地局１０５の一例であり得る、基地局１０５−ｆを含み得る。基地局１０５−ｆは、図１１〜図１３を参照しながら説明された基地局低レイテンシＣＳＩモジュール１１１０の一例であり得る、基地局低レイテンシＣＳＩモジュール１４１０を含み得る。基地局１０５−ｆは、通信を送信するための構成要素と通信を受信するための構成要素とを含む、双方向音声およびデータ通信のための構成要素をも含み得る。たとえば、基地局１０５−ｆは、ＵＥ１１５−ｈまたはＵＥ１１５−ｉと双方向に通信し得る。
【０１１０】
[0118]いくつかの場合には、基地局１０５−ｆは１つまたは複数のワイヤードバックホールリンクを有し得る。基地局１０５−ｆは、コアネットワーク１３０へのワイヤードバックホールリンク（たとえば、Ｓ１インターフェースなど）を有し得る。基地局１０５−ｆはまた、基地局間バックホールリンク（たとえば、Ｘ２インターフェース）を介して、基地局１０５−ｇおよび基地局１０５−ｈなど、他の基地局１０５と通信し得る。基地局１０５の各々は、同じまたは異なるワイヤレス通信技術を使用してＵＥ１１５と通信し得る。いくつかの場合には、基地局１０５−ｆは、基地局通信モジュール１４２５を利用して１０５−ｇまたは１０５−ｈなどの他の基地局と通信し得る。いくつかの例では、基地局通信モジュール１４２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｆは、コアネットワーク１３０を通して他の基地局と通信し得る。いくつかの場合には、基地局１０５−ｆは、ネットワーク通信モジュール１４３０を通してコアネットワーク１３０と通信し得る。
【０１１１】
[0119]基地局１０５−ｆは、プロセッサ１４０５と、（ソフトウェア（ＳＷ）１４２０を含む）メモリ１４１５と、トランシーバ１４３５と、（１つまたは複数の）アンテナ１４４０とを含み得、その各々は、（たとえば、バスシステム１４４５を介して）直接または間接的に互いと通信していることがある。トランシーバ１４３５は、（たとえば、基地局低レイテンシＣＳＩモジュール１４１０と組み合わせて）（１つまたは複数の）アンテナ１４４０を介して、マルチモードデバイスであり得るＵＥ１１５と双方向に通信するように構成され得る。トランシーバ１４３５（または基地局１０５−ｆの他の構成要素）はまた、アンテナ１４４０を介して、１つまたは複数の他の基地局（図示せず）と双方向に通信するように構成され得る。トランシーバ１４３５は、パケットを変調し、変調されたパケットを送信のためにアンテナ１４４０に与え、アンテナ１４４０から受信されたパケットを復調するように構成されたモデムを含み得る。基地局１０５−ｆは、各々が１つまたは複数の関連するアンテナ１４４０をもつ、複数のトランシーバ１４３５を含み得る。トランシーバは、図１１の組み合わせられた受信機１１０５および送信機１１１５の一例であり得る。
【０１１２】
[0120]メモリ１４１５はＲＡＭおよびＲＯＭを含み得る。メモリ１４１５はまた、実行されたとき、プロセッサ１４０５に、基地局低レイテンシＣＳＩモジュール１４１０に関して説明された機能を含む、本明細書で説明される様々な機能（たとえば、ＳＲとＣＳＩとを用いた低レイテンシＰＵＣＣＨ、カバレージ拡張技法を選択すること、呼処理、データベース管理、メッセージルーティングなど）を実行させるように構成された命令を含んでいるコンピュータ可読、コンピュータ実行可能ソフトウェアコード１４２０を記憶し得る。代替的に、ソフトウェアコード１４２０は、プロセッサ１４０５によって直接的に実行可能でないことがあるが、たとえば、コンパイルされ実行されたとき、コンピュータに本明細書で説明される機能を実行させるように構成され得る。プロセッサ１４０５は、インテリジェントハードウェアデバイス、たとえば、ＣＰＵ、マイクロコントローラ、ＡＳＩＣなどを含み得る。プロセッサ１４０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１１３】
[0121]基地局通信モジュール１４２５は、他の基地局１０５との通信を管理し得る。いくつかの場合には、通信管理モジュールは、他の基地局１０５と協働してＵＥ１１５との通信を制御するためのコントローラまたはスケジューラを含み得る。たとえば、基地局通信モジュール１４２５は、ビームフォーミングまたはジョイント送信などの様々な干渉緩和技法のためのＵＥ１１５への送信のためのスケジューリングを協調させ得る。
【０１１４】
[0122]ワイヤレスデバイス７００、ワイヤレスデバイス８００、低レイテンシＣＳＩモジュール７１０、ワイヤレスデバイス１１００、ワイヤレスデバイス１２００、基地局低レイテンシＣＳＩモジュール１１１０、ＵＥ１１５−ｇ、および基地局１０５−ｆの構成要素は、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１１５】
[0123]図１５は、本開示の様々な態様による、ＳＲとＣＳＩとを用いた低レイテンシＰＵＣＣＨのための方法１５００を示すフローチャートを示す。方法１５００の動作は、図１〜図１４を参照しながら説明されたように、ＵＥ１１５またはそれの構成要素によって実施され得る。たとえば、方法１５００の動作は、図７〜図１０を参照しながら説明されたように、低レイテンシＣＳＩモジュール７１０または低レイテンシＣＳＩモジュール１０１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０１１６】
[0124]ブロック１５０５において、ＵＥ１１５は、図２〜図６を参照しながら説明されたように、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定する。いくつかの例では、ブロック１５０５の動作は、図８を参照しながら説明されたようにＣＳＩ識別モジュール８０５によって、または図１０を参照しながら説明されたトランシーバ１０３５と組み合わせて低レイテンシＣＳＩモジュール１０１０によって実行され得る。
【０１１７】
[0125]ブロック１５１０において、ＵＥ１１５は、図２〜図６を参照しながら説明されたように、決定されたＣＳＩをもつ報告をそれの上で送信するためのスケジュールされていないアップリンクチャネルのリソースを識別する。スケジュールされていないアップリンクチャネルのリソースを識別することは、ＵＣＩのために予約されたリソースのセットからリソースが選択することを含み得る。いくつかの例では、スケジュールされていないアップリンクチャネルのリソースを識別することは、第１のＴＴＩ持続時間を有するＴＴＩがＣＳＩ報告のために利用可能であると決定することを含む。いくつかの例では、ブロック１５１０の動作は、図８を参照しながら説明されたようにリソース識別モジュール８１０によって、または図１０を参照しながら説明されたトランシーバ１０３５と組み合わせて低レイテンシＣＳＩモジュール１０１０によって実行され得る。
【０１１８】
[0126]ブロック１５１５において、ＵＥ１１５は、図２〜図６を参照しながら説明されたように、識別されたリソース上で報告を送信する。報告は、アップリンク基準信号とは異なるサイクリックシフトを用いて送信され得る。いくつかの例では、ブロック１５１５の動作は、図８を参照しながら説明されたようにＣＳＩ報告モジュール８１５によって、または図１０を参照しながら説明されたトランシーバ１０３５と組み合わせて低レイテンシＣＳＩモジュール１０１０によって実行され得る。
【０１１９】
[0127]いくつかの例では、方法１５００は、ＵＣＩのために予約されたリソースのセットを示すシグナリングを受信することを含む。シグナリングは、ダウンリンク許可であるかまたはそれを含み得る。いくつかの例では、そのような動作は、図１０を参照しながら説明されたトランシーバ１０３５によって実行され得る。ＵＣＩのために予約されたリソースのセットは、ＳＲ、ＣＳＩ報告、またはＨＡＲＱフィードバック、あるいはそれらの任意の組合せのために予約されたリソースを含み得る。ＵＣＩのために予約されたリソースのセットは、第１のＴＴＩ持続時間を有するＴＴＩのリソースブロックのセットを含み得る。いくつかの例では、ＵＣＩのために予約されたリソースのセットは、ＵＣＩのために予約されたリソースのセットがそれに割り振られるＵＥ数に少なくとも部分的に基づき、ＵＥの数は、コヒーレントユーザまたは非コヒーレントユーザ、あるいは両方を含み得る。
【０１２０】
[0128]図１６は、本開示の様々な態様による、ＳＲとＣＳＩとを用いた低レイテンシＰＵＣＣＨのための方法１６００を示すフローチャートを示す。方法１６００の動作は、図１〜図１４を参照しながら説明されたように、ＵＥ１１５またはそれの構成要素によって実施され得る。たとえば、方法１６００の動作は、図７〜図１０を参照しながら説明されたように、低レイテンシＣＳＩモジュール７１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１６００はまた、図１５の方法１５００の態様を組み込み得る。
【０１２１】
[0129]ブロック１６０５において、ＵＥ１１５は、図２〜図６を参照しながら説明されたように、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定する。いくつかの例では、ブロック１６０５の動作は、図８を参照しながら説明されたようにＣＳＩ識別モジュール８０５によって、または図１０を参照しながら説明されたようにトランシーバ１０３５と組み合わせて低レイテンシＣＳＩモジュール１０１０によって実行され得る。
【０１２２】
[0130]ブロック１６１０において、ＵＥ１１５は、図２〜図６を参照しながら説明されたように、決定されたＣＳＩをもつ報告をそれの上で送信するためのスケジュールされていないアップリンクチャネルのリソースを識別する。いくつかの場合には、スケジュールされていないアップリンクチャネルのリソースを識別することは、ＵＣＩのために予約されたリソースのセットからリソースが選択することを含む。いくつかの例では、ブロック１６１０の動作は、図８を参照しながら説明されたようにリソース識別モジュール８１０によって、または図１０を参照しながら説明されたようにトランシーバ１０３５と組み合わせて低レイテンシＣＳＩモジュール１０１０によって実行され得る。
【０１２３】
[0131]ブロック１６１５において、ＵＥ１１５は、図２〜図６を参照しながら説明されたように、識別されたリソース上で報告を送信する。いくつかの例では、ブロック１６１５の動作は、図８を参照しながら説明されたようにＣＳＩ報告モジュール８１５によって、または図１０を参照しながら説明されたようにトランシーバ１０３５と組み合わせて低レイテンシＣＳＩモジュール１０１０によって実行され得る。
【０１２４】
[0132]ブロック１６２０において、ＵＥ１１５は、図２〜図６を参照しながら説明されたように、予約されたリソースのセットを示すシグナリングを受信する。いくつかの例では、ブロック１６２０の動作は、図７または図８を参照しながら説明されたように受信機７０５によって、あるいは図１０を参照しながら説明されたようにトランシーバ１０３５と組み合わせて低レイテンシＣＳＩモジュール１０１０によって実行され得る。
【０１２５】
[0133]図１７は、本開示の様々な態様による、ＳＲとＣＳＩとを用いた低レイテンシＰＵＣＣＨのための方法１７００を示すフローチャートを示す。方法１７００の動作は、図１〜図１４を参照しながら説明されたように、ＵＥ１１５またはそれの構成要素によって実施され得る。たとえば、方法１７００の動作は、図７〜図１０を参照しながら説明されたように、低レイテンシＣＳＩモジュール７１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１７００はまた、図１５および図１６の方法１５００および１６００の態様を組み込み得る。
【０１２６】
[0134]ブロック１７０５において、ＵＥ１１５は、図２〜図６を参照しながら説明されたように、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定する。いくつかの例では、ブロック１７０５の動作は、図８を参照しながら説明されたようにＣＳＩ識別モジュール８０５によって、または図１０を参照しながら説明されたようにトランシーバ１０３５と組み合わせて低レイテンシＣＳＩモジュール１０１０によって実行され得る。
【０１２７】
[0135]ブロック１７１０において、ＵＥ１１５は、図２〜図６を参照しながら説明されたように、決定されたＣＳＩをもつ報告をそれの上で送信するためのスケジュールされていないアップリンクチャネルのリソースを識別する。いくつかの例では、ブロック１７１０の動作は、図８を参照しながら説明されたようにリソース識別モジュール８１０によって、または図１０を参照しながら説明されたようにトランシーバ１０３５と組み合わせて低レイテンシＣＳＩモジュール１０１０によって実行され得る。
【０１２８】
[0136]ブロック１７１５において、ＵＥ１１５は、図２〜図６を参照しながら説明されたように、識別されたリソース上で報告を送信する。いくつかの例では、ブロック１７１５の動作は、図８を参照しながら説明されたようにＣＳＩ報告モジュール８１５によって、または図１０を参照しながら説明されたようにトランシーバ１０３５と組み合わせて低レイテンシＣＳＩモジュール１０１０によって実行され得る。
【０１２９】
[0137]ブロック１７２０において、ＵＥ１１５は、図２〜図６を参照しながら説明されたように、ＲＡＣＨメッセージを送信する。いくつかの例では、ブロック１７２０の動作は、図９を参照しながら説明されたようにＲＡＣＨモジュール９０５によって、または図１０を参照しながら説明されたようにトランシーバ１０３５と組み合わせて低レイテンシＣＳＩモジュール１０１０によって実行され得る。
【０１３０】
[0138]ブロック１７２５において、ＵＥ１１５は、図２〜図６を参照しながら説明されたように、ＲＡＣＨメッセージに応答するメッセージを受信し、したがって、スケジュールされていないアップリンクチャネルのリソースは、応答するメッセージに基づいて識別される。いくつかの例では、ブロック１７２５の動作は、図９を参照しながら説明されたようにＲＡＣＨモジュール９０５によって、または図１０を参照しながら説明されたようにトランシーバ１０３５と組み合わせて低レイテンシＣＳＩモジュール１０１０によって実行され得る。
【０１３１】
[0139]図１８は、本開示の様々な態様による、ＳＲとＣＳＩとを用いた低レイテンシＰＵＣＣＨのための方法１８００を示すフローチャートを示す。方法１８００の動作は、図１〜図１４を参照しながら説明されたように、ＵＥ１１５またはそれの構成要素によって実施され得る。たとえば、方法１８００の動作は、図７〜図１０を参照しながら説明されたように、低レイテンシＣＳＩモジュール７１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１８００はまた、図１５〜図１７の方法１５００、１６００、および１７００の態様を組み込み得る。
【０１３２】
[0140]ブロック１８０５において、ＵＥ１１５は、図２〜図６を参照しながら説明されたように、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩを決定する。いくつかの例では、ブロック１８０５の動作は、図８を参照しながら説明されたようにＣＳＩ識別モジュール８０５によって、または図１０を参照しながら説明されたようにトランシーバ１０３５と組み合わせて低レイテンシＣＳＩモジュール１０１０によって実行され得る。
【０１３３】
[0141]ブロック１８１０において、ＵＥ１１５は、図２〜図６を参照しながら説明されたように、決定されたＣＳＩをもつ報告をそれの上で送るためのリソースについての要求を送信する。いくつかの例では、ブロック１８１０の動作は、図９を参照しながら説明されたようにリソース要求モジュール９１０によって、または図１０を参照しながら説明されたようにトランシーバ１０３５と組み合わせて低レイテンシＣＳＩモジュール１０１０によって実行され得る。
【０１３４】
[0142]ブロック１８１５において、ＵＥ１１５は、図２〜図６を参照しながら説明されたように、要求に応答して、報告のためのアップリンクリソースについての許可を受信する。いくつかの例では、ブロック１８１５の動作は、図９を参照しながら説明されたようにリソース許可モジュール９１５によって、または図１０を参照しながら説明されたようにトランシーバ１０３５と組み合わせて低レイテンシＣＳＩモジュール１０１０によって実行され得る。
【０１３５】
[0143]ブロック１８２０において、ＵＥ１１５は、図２〜図６を参照しながら説明されたように、アップリンクリソースを使用して報告を送信する。いくつかの例では、ブロック１８２０の動作は、図８を参照しながら説明されたようにＣＳＩ報告モジュール８１５によって、または図１０を参照しながら説明されたようにトランシーバ１０３５と組み合わせて低レイテンシＣＳＩモジュール１０１０によって実行され得る。
【０１３６】
[0144]図１９は、本開示の様々な態様による、ＳＲとＣＳＩとを用いた低レイテンシＰＵＣＣＨのための方法１９００を示すフローチャートを示す。方法１９００の動作は、図１〜図１４を参照しながら説明されたように、ＵＥ１１５またはそれの構成要素によって実施され得る。たとえば、方法１９００の動作は、図７〜図１０を参照しながら説明されたように、低レイテンシＣＳＩモジュール７１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１９００はまた、図１５〜図１８の方法１５００、１６００、１７００、および１８００の態様を組み込み得る。
【０１３７】
[0145]ブロック１９０５において、ＵＥ１１５は、図２〜図６を参照しながら説明されたように、第１のＴＴＩ持続時間と、第１のＴＴＩ持続時間よりも大きい第２のＴＴＩ持続時間とを用いた動作をサポートするシステムにおいて、第１のＴＴＩ持続時間を使用する通信リンクについてのＣＳＩをもつ報告を送信する。いくつかの例では、ブロック１９０５の動作は、図８を参照しながら説明されたようにＣＳＩ報告モジュール８１５によって、または図１０を参照しながら説明されたようにトランシーバ１０３５と組み合わせて低レイテンシＣＳＩモジュール１０１０によって実行され得る。
【０１３８】
[0146]ブロック１９１０において、ＵＥ１１５は、図２〜図６を参照しながら説明されたように、通信リンクについてのチャネル状態の変化を決定する。いくつかの例では、ブロック１９１０の動作は、図９を参照しながら説明されたようにチャネル状態差モジュール９２０によって、または図１０を参照しながら説明されたようにトランシーバ１０３５と組み合わせて低レイテンシＣＳＩモジュール１０１０によって実行され得る。
【０１３９】
[0147]ブロック１９１５において、ＵＥ１１５は、図２〜図６を参照しながら説明されたように、報告されたＣＳＩとチャネル状態の変化との間の差を示すシグナリングを送信する。いくつかの例では、ブロック１９１５の動作は、図９を参照しながら説明されたように差報告モジュール９２５によって、または図１０を参照しながら説明されたようにトランシーバ１０３５と組み合わせて低レイテンシＣＳＩモジュール１０１０によって実行され得る。
【０１４０】
[0148]方法１９００のいくつかの例では、ＣＳＩをもつ報告、またはＣＳＩとチャネル状態の変化との間の差を示すシグナリングは、ＵＣＩのために予約されたリソースのセットから選択されたリソース上で送信される。ＵＣＩのために予約されたリソースのセットは、ＳＲ、ＣＳＩ報告、ＨＡＲＱフィードバック、またはそれらの任意の組合せのために予約されたリソースを含み得る。ＵＣＩのために予約されたリソースのセットは、ＵＣＩのために予約されたリソースのセットがそれに割り振られるＵＥの数に少なくとも部分的に基づいて予約され得、ＵＥの数は、コヒーレントユーザまたは非コヒーレントユーザ、あるいは両方を含み得る。ＣＳＩをもつ報告、またはＣＳＩとチャネル状態の変化との間の差を示すシグナリングは、アップリンク基準信号とは異なるサイクリックシフトを用いて送信される。
【０１４１】
[0149]方法１９００はまた、ＣＳＩをもつ報告、またはＣＳＩとチャネル状態の変化との間の差を示すシグナリングをそれの上で送るためのリソースについての許可をダウンリンクデータチャネル中で受信することを含み得る。いくつかの例では、そのような動作は、図１０を参照しながら説明されたように、トランシーバ１０３５によって実行され得る。
【０１４２】
[0150]図２０は、本開示の様々な態様による、ＳＲとＣＳＩとを用いた低レイテンシＰＵＣＣＨのための方法２０００を示すフローチャートを示す。方法２０００の動作は、図１〜図１４を参照しながら説明されたように、基地局１０５またはそれの構成要素によって実施され得る。たとえば、方法２０００の動作は、図１１〜図１４を参照しながら説明されたように、基地局低レイテンシＣＳＩモジュール１１１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。
【０１４３】
[0151]ブロック２００５において、基地局１０５は、図２〜図６を参照しながら説明されたように、ＵＣＩのために予約されたリソースのセットを決定する。いくつかの例では、ブロック２００５の動作は、図１２を参照しながら説明されたようにＵＣＩリソース識別モジュール１２０５によって、または図１４を参照しながら説明されたようにトランシーバ１４３５と組み合わせて基地局低レイテンシＣＳＩモジュール１４１０によって実行され得る。
【０１４４】
[0152]ブロック２０１０において、基地局１０５は、図２〜図６を参照しながら説明されたように、予約されたリソースのセットのうちのリソース上でＵＥから、ＣＳＩをもつ報告、ＣＳＩ報告をそれの上で送るためのリソースについての要求、またはＣＳＩの変化を示すシグナリングのうちの少なくとも１つを受信し、受信するは、第１のＴＴＩ持続時間と、第１のＴＴＩ持続時間よりも大きい第２のＴＴＩ持続時間とを用いた動作をサポートするシステムにおいて、第１のＴＴＩ持続時間を使用して受信するを含み得る。いくつかの例では、ブロック２０１０の動作は、図１２を参照しながら説明されたようにＣＳＩ受信モジュール１２１０によって、または図１４を参照しながら説明されたようにトランシーバ１４３５と組み合わせて基地局低レイテンシＣＳＩモジュール１４１０によって実行され得る。
【０１４５】
[0153]したがって、方法１５００、１６００、１７００、１８００、１９００、および２０００は、ＳＲとＣＳＩとを用いた低レイテンシＰＵＣＣＨを与え得る。方法１５００、１６００、１７００、１８００、１９００、および２０００は可能な実装形態を表すこと、ならびに動作およびステップは、他の実装形態が可能であるように、並べ替えられるかまたは場合によっては変更され得ることに留意されたい。いくつかの例では、方法１５００、１６００、１７００、１８００、１９００、および２０００のうちの２つまたはそれ以上からの態様が組み合わせられ得る。
【０１４６】
[0154]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【０１４７】
[0155]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−Ａ、およびモバイル通信用グローバルシステム（ＧＳＭ）は、「第３世代パートナーシッププロジェクト」（３ＧＰＰ：Third Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のシステムおよび無線技術、ならびに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１４８】
[0156]本明細書で説明されるそのようなネットワークを含む、ＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプの発展型ノードＢ（ｅＮＢ）が様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１４９】
[0157]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分を構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１５０】
[0158]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１５１】
[0159]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【０１５２】
[0160]本明細書で説明されるダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１５３】
[0161]添付の図面に関して本明細書に記載される説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明される例の概念を不明瞭にすることを回避するために、よく知られている構造およびデバイスがブロック図の形式で示される。
【０１５４】
[0162]添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０１５５】
[0163]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１５６】
[0164]本明細書の開示に関して説明される様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１５７】
[0165]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１５８】
[0166]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１５９】
[0167]当業者に知られている、または後に知られることになる、本開示全体にわたって説明される様々な態様の要素のすべての構造的および機能的均等物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」、「構成要素」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
【０１６０】
[0168]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
【図１】
2020010392.tif 000003
【図２】
2020010392.tif 000004
【図３Ａ】
2020010392.tif 000005
【図３Ｂ】
2020010392.tif 000006
【図４】
2020010392.tif 000007
【図５】
2020010392.tif 000008
【図６】
2020010392.tif 000009
【図７】
2020010392.tif 000010
【図８】
2020010392.tif 000011
【図９】
2020010392.tif 000012
【図１０】
2020010392.tif 000013
【図１１】
2020010392.tif 000014
【図１２】
2020010392.tif 000015
【図１３】
2020010392.tif 000016
【図１４】
2020010392.tif 000017
【図１５】
2020010392.tif 000018
【図１６】
2020010392.tif 000019
【図１７】
2020010392.tif 000020
【図１８】
2020010392.tif 000021
【図１９】
2020010392.tif 000022
【図２０】
2020010392.tif 000023
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定することと、
前記決定されたＣＳＩをもつ報告をそれの上で送信するためのスケジュールされていないアップリンクチャネルのリソースを識別することと、ここにおいて、前記リソースは、アップリンク制御情報（ＵＣＩ）のために予約され、予約されたリソースの数は、対応する送信が、コヒーレント送信となるか、または非コヒーレント送信となるかに基づく、
前記対応する送信として、前記識別されたリソース上で前記報告を送信することと
を備える、ワイヤレス通信の方法。
【請求項２】
前記識別されたリソース上で前記報告を送信することは、
前記第１のＴＴＩ持続時間を有するＴＴＩを介して前記報告を送信すること、ここにおいて、前記第１のＴＴＩ持続時間は２つのシンボルである、
を備える、請求項１に記載の方法。
【請求項３】
前記スケジュールされていないアップリンクチャネルのリソースを識別することは、
コヒーレント送信のためのリソースを識別すること、ここにおいて、前記ＵＥのためのＵＣＩのために予約された前記リソースの数は、非コヒーレント送信のために予約されることになるリソースの数よりも大きい、
をさらに備える、請求項２に記載の方法。
【請求項４】
前記スケジュールされていないアップリンクチャネルのリソースを識別することは、
コヒーレント送信のためのリソースを識別すること、ここにおいて、前記ＵＥのためのＵＣＩのために予約された前記リソースの数は、シンボルの利用可能なリソースユニットの３分の１である、
をさらに備える、請求項２に記載の方法。
【請求項５】
前記スケジュールされていないアップリンクチャネルのリソースを識別することは、
非コヒーレント送信のためのリソースを識別すること、ここにおいて、前記ＵＥのためのＵＣＩのために予約された前記リソースの数は、シンボルの利用可能なリソースユニットの６分の１である、
をさらに備える、請求項２に記載の方法。
【請求項６】
前記スケジュールされていないアップリンクチャネルのリソースを識別することは、
第１のリソースブロックおよび第２のリソースブロックを識別すること、各リソースブロックは、２シンボルＴＴＩを備え、ここにおいて、前記第１のリソースブロックの第１のシンボルに対応するユーザのグループは、前記第２のリソースブロックの第２のシンボルに対応するものと同じユーザのグループである、
をさらに備える、請求項２に記載の方法。
【請求項７】
前記識別されたリソースは、第１のリソースブロックおよび第２のリソースブロックを備え、各リソースブロックは、周波数ホッピング構成に少なくとも部分的に基づくペアにされた周波数領域の別個のサブキャリアに対応する、請求項１に記載の方法。
【請求項８】
前記識別されたリソース上で前記報告を送信することは、
パイロットシンボルと、スケジューリング要求と、前記ＣＳＩ報告とを備えるコヒーレント送信を送信すること
を備える、請求項１に記載の方法。
【請求項９】
前記識別されたリソース上で前記報告を送信することは、
スケジューリング要求と、前記ＣＳＩ報告とを備える非コヒーレント送信を送信すること
を備える、請求項１に記載の方法。
【請求項１０】
前記第２のＴＴＩ持続時間は、２つのスロットを含むサブフレームであり、前記第１のＴＴＩ持続時間は、１つのスロット以下である、請求項１に記載の方法。
【請求項１１】
前記報告は、アップリンク基準信号とは異なるサイクリックシフトを用いて送信される、請求項１に記載の方法。
【請求項１２】
ワイヤレス通信のための装置であって、
プロセッサと、
前記プロセッサと電子通信しているメモリと、
前記メモリに記憶された命令と
を備え、前記命令は、前記装置に、
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定することと、
前記決定されたＣＳＩをもつ報告をそれの上で送信するためのスケジュールされていないアップリンクチャネルのリソースを識別することと、ここにおいて、前記リソースは、アップリンク制御情報（ＵＣＩ）のために予約され、予約されたリソースの数は、対応する送信が、コヒーレント送信となるか、または非コヒーレント送信となるかに基づく、
前記対応する送信として、前記識別されたリソース上で前記報告を送信することと
を行わせるように、前記プロセッサによって実行可能である、装置。
【請求項１３】
前記識別されたリソース上で前記報告を送信するための前記命令は、前記装置に、
前記第１のＴＴＩ持続時間を有するＴＴＩを介して前記報告を送信すること、ここにおいて、前記第１のＴＴＩ持続時間は２つのシンボルである、
を行わせるように、前記プロセッサによって実行可能である、請求項１２に記載の装置。
【請求項１４】
前記スケジュールされていないアップリンクチャネルのリソースを識別するための前記命令はさらに、前記装置に、
コヒーレント送信のためのリソースを識別すること、ここにおいて、前記ＵＥのためのＵＣＩのために予約された前記リソースの数は、非コヒーレント送信のために予約されることになるリソースの数よりも大きい、
を行わせるように、前記プロセッサによって実行可能である、請求項１３に記載の装置。
【請求項１５】
前記スケジュールされていないアップリンクチャネルのリソースを識別するための前記命令はさらに、前記装置に、
コヒーレント送信のためのリソースを識別すること、ここにおいて、前記ＵＥのためのＵＣＩのために予約された前記リソースの数は、シンボルの利用可能なリソースユニットの３分の１である、
を行わせるように、前記プロセッサによって実行可能である、請求項１３に記載の装置。
【請求項１６】
前記スケジュールされていないアップリンクチャネルのリソースを識別するための前記命令はさらに、前記装置に、
非コヒーレント送信のためのリソースを識別すること、ここにおいて、前記ＵＥのためのＵＣＩのために予約された前記リソースの数は、シンボルの利用可能なリソースユニットの６分の１である、
を行わせるように、前記プロセッサによって実行可能である、請求項１３に記載の装置。
【請求項１７】
前記スケジュールされていないアップリンクチャネルのリソースを識別するための前記命令はさらに、前記装置に、
第１のリソースブロックおよび第２のリソースブロックを識別すること、各リソースブロックは、２シンボルＴＴＩを備え、ここにおいて、前記第１のリソースブロックの第１のシンボルに対応するユーザのグループは、前記第２のリソースブロックの第２のシンボルに対応するものと同じユーザのグループである、
を行わせるように、前記プロセッサによって実行可能である、請求項１３に記載の装置。
【請求項１８】
前記識別されたリソースは、第１のリソースブロックおよび第２のリソースブロックを備え、各リソースブロックは、周波数ホッピング構成に少なくとも部分的に基づくペアにされた周波数領域の別個のサブキャリアに対応する、請求項１２に記載の装置。
【請求項１９】
前記識別されたリソース上で前記報告を送信するための前記命令は、前記装置に、
パイロットシンボルと、スケジューリング要求と、前記ＣＳＩ報告とを備えるコヒーレント送信を送信すること
を行わせるように、前記プロセッサによって実行可能である、請求項１２に記載の装置。
【請求項２０】
前記識別されたリソース上で前記報告を送信するための前記命令は、前記装置に、
スケジューリング要求と、前記ＣＳＩ報告とを備える非コヒーレント送信を送信すること
を行わせるように、前記プロセッサによって実行可能である、請求項１２に記載の装置。
【請求項２１】
前記第２のＴＴＩ持続時間は、２つのスロットを含むサブフレームであり、前記第１のＴＴＩ持続時間は、１つのスロット以下である、請求項１２に記載の装置。
【請求項２２】
前記報告は、アップリンク基準信号とは異なるサイクリックシフトを用いて送信される、請求項１２に記載の装置。
【請求項２３】
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定するための手段と、
前記決定されたＣＳＩをもつ報告をそれの上で送信するためのスケジュールされていないアップリンクチャネルのリソースを識別するための手段と、ここにおいて、前記リソースは、アップリンク制御情報（ＵＣＩ）のために予約され、予約されたリソースの数は、対応する送信が、コヒーレント送信となるか、または非コヒーレント送信となるかに基づく、
前記対応する送信として、前記識別されたリソース上で前記報告を送信するための手段と
を備える、ワイヤレス通信のための装置。
【請求項２４】
前記識別されたリソース上で前記報告を送信するための前記手段は、
前記第１のＴＴＩ持続時間を有するＴＴＩを介して前記報告を送信するための手段、ここにおいて、前記第１のＴＴＩ持続時間は２つのシンボルである、
を備える、請求項２３に記載の装置。
【請求項２５】
前記スケジュールされていないアップリンクチャネルのリソースを識別するための前記手段は、
コヒーレント送信のためのリソースを識別するための手段、ここにおいて、前記ＵＥのためのＵＣＩのために予約された前記リソースの数は、非コヒーレント送信のために予約されることになるリソースの数よりも大きい、
をさらに備える、請求項２４に記載の装置。
【請求項２６】
前記スケジュールされていないアップリンクチャネルのリソースを識別するための前記手段は、
第１のリソースブロックおよび第２のリソースブロックを識別するための手段、各リソースブロックは、２シンボルＴＴＩを備え、ここにおいて、前記第１のリソースブロックの第１のシンボルに対応するユーザのグループは、前記第２のリソースブロックの第２のシンボルに対応するものと同じユーザのグループである、
をさらに備える、請求項２４に記載の装置。
【請求項２７】
前記識別されたリソースは、第１のリソースブロックおよび第２のリソースブロックを備え、各リソースブロックは、周波数ホッピング構成に少なくとも部分的に基づくペアにされた周波数領域の別個のサブキャリアに対応する、請求項２３に記載の装置。
【請求項２８】
前記識別されたリソース上で前記報告を送信するための前記手段は、
パイロットシンボルと、スケジューリング要求と、前記ＣＳＩ報告とを備えるコヒーレント送信を送信するための手段
を備える、請求項２３に記載の装置。
【請求項２９】
前記識別されたリソース上で前記報告を送信するための前記手段は、
スケジューリング要求と、前記ＣＳＩ報告とを備える非コヒーレント送信を送信するための手段
を備える、請求項２３に記載の装置。
【請求項３０】
ワイヤレス通信のためのコードを記憶した非一時的なコンピュータ可読媒体であって、前記コードは、
第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定することと、
前記決定されたＣＳＩをもつ報告をそれの上で送信するためのスケジュールされていないアップリンクチャネルのリソースを識別することと、ここにおいて、前記リソースは、アップリンク制御情報（ＵＣＩ）のために予約され、予約されたリソースの数は、対応する送信が、コヒーレント送信となるか、または非コヒーレント送信となるかに基づく、
前記対応する送信として、前記識別されたリソース上で前記報告を送信することと
を行うために、プロセッサによって実行可能な命令を備える、非一時的なコンピュータ可読媒体。
【手続補正２】
【補正対象書類名】明細書
【補正対象項目名】０１６０
【補正方法】変更
【補正の内容】
【０１６０】
[0168]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］  第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定することと、
前記決定されたＣＳＩをもつ報告をそれの上で送信するためのスケジュールされていないアップリンクチャネルのリソースを識別することと、
前記識別されたリソース上で前記報告を送信することと
を備える、ワイヤレス通信の方法。
［Ｃ２］  前記スケジュールされていないアップリンクチャネルの前記リソースを識別することが、
アップリンク制御情報（ＵＣＩ）のために予約されたリソースのセットから前記リソースを選択すること
を備える、Ｃ１に記載の方法。
［Ｃ３］  ＵＣＩのために予約されたリソースの前記セットを示すシグナリングを受信することをさらに備える、Ｃ２に記載の方法。
［Ｃ４］  前記シグナリングがダウンリンク許可を備える、Ｃ３に記載の方法。
［Ｃ５］  ＵＣＩのために予約されたリソースの前記セットが、スケジューリング要求（ＳＲ）、ＣＳＩ報告、またはハイブリッド自動再送要求（ＨＡＲＱ）フィードバック、あるいはそれらの任意の組合せのために予約されたリソースを備える、Ｃ２に記載の方法。
［Ｃ６］  ＵＣＩのために予約されたリソースの前記セットが、前記第１のＴＴＩ持続時間を有するＴＴＩのリソースブロックのセットを備える、Ｃ２に記載の方法。
［Ｃ７］  ＵＣＩのために予約されたリソースの前記セットは、ＵＣＩのために予約されたリソースの前記セットがそれに割り振られるユーザ機器（ＵＥ）の数に少なくとも部分的に基づき、ここにおいて、ＵＥの前記数が、コヒーレントユーザまたは非コヒーレントユーザ、あるいは両方を備える、Ｃ２に記載の方法。
［Ｃ８］  前記スケジュールされていないアップリンクチャネルの前記リソースを識別することは、
前記第１のＴＴＩ持続時間を有するＴＴＩがＣＳＩ報告のために利用可能であると決定すること
を備える、Ｃ１に記載の方法。
［Ｃ９］  前記報告が、アップリンク基準信号とは異なるサイクリックシフトを用いて送信される、Ｃ１に記載の方法。
［Ｃ１０］  第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）をもつ報告を送信することと、
前記通信リンクについてのチャネル状態の変化を決定することと、
前記ＣＳＩと前記チャネル状態の前記変化との間の差を示すシグナリングを送信することと
を備える、ワイヤレス通信の方法。
［Ｃ１１］  前記ＣＳＩをもつ前記報告、または前記ＣＳＩと前記チャネル状態の前記変化との間の前記差を示す前記シグナリングが、アップリンク制御情報（ＵＣＩ）のために予約されたリソースのセットから選択されたリソース上で送信される、Ｃ１０に記載の方法。
［Ｃ１２］  ＵＣＩのために予約されたリソースの前記セットが、スケジューリング要求（ＳＲ）、ＣＳＩ報告、ハイブリッド自動再送要求（ＨＡＲＱ）フィードバック、またはそれらの任意の組合せのために予約されたリソースを備える、Ｃ１１に記載の方法。
［Ｃ１３］  ＵＣＩのために予約されたリソースの前記セットは、ＵＣＩのために予約されたリソースの前記セットがそれに割り振られるユーザ機器（ＵＥ）の数に少なくとも部分的に基づいて予約され、ここにおいて、ＵＥの前記数が、コヒーレントユーザまたは非コヒーレントユーザ、あるいは両方を備える、Ｃ１１に記載の方法。
［Ｃ１４］  前記ＣＳＩをもつ前記報告、または前記ＣＳＩと前記チャネル状態の前記変化との間の前記差を示す前記シグナリングをそれの上で送るためのリソースについての許可をダウンリンクデータチャネル中で受信すること
をさらに備える、Ｃ１０に記載の方法。
［Ｃ１５］  前記ＣＳＩをもつ前記報告、または前記ＣＳＩと前記チャネル状態の前記変化との間の前記差を示す前記シグナリングが、アップリンク基準信号とは異なるサイクリックシフトを用いて送信される、Ｃ１０に記載の方法。
［Ｃ１６］  第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）を決定するための手段と、
前記決定されたＣＳＩをもつ報告をそれの上で送信するためのスケジュールされていないアップリンクチャネルのリソースを識別するための手段と、
前記識別されたリソース上で前記報告を送信するための手段と
を備える、ワイヤレス通信のための装置。
［Ｃ１７］  アップリンク制御情報（ＵＣＩ）のために予約されたリソースのセットから前記リソースを選択するための手段
をさらに備える、Ｃ１６に記載の装置。
［Ｃ１８］  ＵＣＩのために予約されたリソースの前記セットを示すシグナリングを受信するための手段
をさらに備える、Ｃ１７に記載の装置。
［Ｃ１９］  前記シグナリングがダウンリンク許可を備える、Ｃ１８に記載の装置。
［Ｃ２０］  ＵＣＩのために予約されたリソースの前記セットが、ＳＲ、ＣＳＩ報告、またはハイブリッド自動再送要求（ＨＡＲＱ）フィードバック、あるいはそれらの任意の組合せのために予約されたリソースを備える、Ｃ１７に記載の装置。
［Ｃ２１］  ＵＣＩのために予約されたリソースの前記セットが、前記第１のＴＴＩ持続時間を有するＴＴＩのリソースブロックのセットを備える、Ｃ１７に記載の装置。
［Ｃ２２］  ＵＣＩのために予約されたリソースの前記セットは、ＵＣＩのために予約されたリソースの前記セットがそれに割り振られるユーザ機器（ＵＥ）の数に少なくとも部分的に基づき、ここにおいて、ＵＥの前記数が、コヒーレントユーザまたは非コヒーレントユーザ、あるいは両方を備える、Ｃ１７に記載の装置。
［Ｃ２３］  前記第１のＴＴＩ持続時間を有するＴＴＩがＣＳＩ報告のために利用可能であると決定するための手段
をさらに備える、Ｃ１６に記載の装置。
［Ｃ２４］  アップリンク基準信号とは異なるサイクリックシフトを用いて前記報告を送信するための手段
をさらに備える、Ｃ１６に記載の装置。
［Ｃ２５］  第１の送信時間間隔（ＴＴＩ）持続時間と、前記第１のＴＴＩ持続時間よりも大きい第２のＴＴＩ持続時間とを用いた動作をサポートするシステムにおいて、前記第１のＴＴＩ持続時間を使用する通信リンクについてのチャネル状態情報（ＣＳＩ）をもつ報告を送信するための手段と、
前記通信リンクについてのチャネル状態の変化を決定するための手段と、
前記ＣＳＩと前記チャネル状態の前記変化との間の差を示すシグナリングを送信するための手段と
を備える、ワイヤレス通信のための装置。
［Ｃ２６］  前記ＣＳＩをもつ前記報告、または報告されたＣＳＩと前記チャネル状態の前記変化との間の前記差を示す前記シグナリングが、アップリンク制御情報（ＵＣＩ）のために予約されたリソースのセットから選択されたリソース上で送信される、Ｃ２５に記載の装置。
［Ｃ２７］  ＵＣＩのために予約されたリソースの前記セットが、スケジューリング要求（ＳＲ）、ＣＳＩ報告、ハイブリッド自動再送要求（ＨＡＲＱ）フィードバック、またはそれらの任意の組合せのために予約されたリソースを備える、Ｃ２６に記載の装置。
［Ｃ２８］  ＵＣＩのために予約されたリソースの前記セットは、ＵＣＩのために予約されたリソースの前記セットがそれに割り振られるユーザ機器（ＵＥ）の数に少なくとも部分的に基づいて予約され、ここにおいて、ＵＥの前記数が、コヒーレントユーザまたは非コヒーレントユーザ、あるいは両方を備える、Ｃ２６に記載の装置。
［Ｃ２９］  前記ＣＳＩをもつ前記報告、または前記ＣＳＩと前記チャネル状態の前記変化との間の前記差を示す前記シグナリングをそれの上で送るためのリソースについての許可をダウンリンクデータチャネル中で受信するための手段
をさらに備える、Ｃ２５に記載の装置。
［Ｃ３０］  前記ＣＳＩをもつ前記報告、または前記ＣＳＩと前記チャネル状態の前記変化との間の前記差を示す前記シグナリングが、アップリンク基準信号とは異なるサイクリックシフトを用いて送信される、Ｃ２５に記載の装置。